(57)【要約】  本発明の実施例は、無線通信技術分野に関し、特にアップリンク半永続スケジューリングを設定する方法、端末及びネットワーク側装置を提供し、アップリンクＳＰＳ及びサービスデータパッケージの到達時間がマッチせず、サービスデータパッケージが到達した後に、待ち時間が長くて、サービスの遅延を延びてしまうとの従来の問題点を解決する。本発明実施例端末は、前記ネットワーク側装置が、受信した前記ＳＰＳ設定の補助情報に基づき、前記端末のためにアップリンクＳＰＳ情報を設定するように、前記ＳＰＳ設定の補助情報をネットワーク側装置の送信する。端末が前記ＳＰＳ設定の補助情報をネットワーク側装置に送信するため、ネットワーク側装置が、アップリンクＳＰＳを設定する場合ＳＰＳ設定の補助情報を参考することができ、こうして、アップリンクＳＰＳとサービスデータパッケージの到達時間がマッチしない確率を低減し、サービスデータパッケージが到達した後の待ち時間が短縮され、サービス遅延が低減される。【選択図】  図６
2019512928.tif 000002
【特許請求の範囲】
【請求項１】
端末は、ＳＰＳ設定の補助情報を決定ステップと、
前記ネットワーク側装置が受信したＳＰＳ設定の補助情報に基づいて、前記端末のためにアップリンクＳＰＳ情報を設定するように、前記端末は、前記ＳＰＳ設定の補助情報をネットワーク側装置の送信するステップとを備えることを特徴とするアップリンク半永続スケジューリング（ＳＰＳ）を設定する方法。
【請求項２】
前記端末は、ＳＰＳ設定の補助情報を決定するのは、
前記端末は、前記端末が望ましいアップリンクＳＰＳリソースの時間領域における開始位置と、
前記端末が望ましいアップリンクＳＰＳリソースの設定周期と、
データパッケージサイズの指示情報と、
サービスタイプの指示情報とのうちの一部または全部をＳＰＳ設定の補助情報とすることを特徴とする請求項１に記載のアップリンク半永続スケジューリング（ＳＰＳ）を設定する方法。
【請求項３】
前記ＳＰＳ設定の補助情報はＳＰＳ活性化指示情報であり、前記端末は、下記のトリガー条件を満足した後、ＳＰＳ設定の補助情報を決定し、
前記端末は、アップリンクＳＰＳリソースを利用する必要があるサービスが到達すると判断し、
または、
前記ＳＰＳ設定の補助情報はＳＰＳ設定アップデート指示情報であり、前記端末は、下記のトリガー条件を満足した後、ＳＰＳ設定の補助情報を決定し、
前記端末は、目下のＳＰＳ設定により、Ｎ個のデータパッケージの待ち遅延が所定の遅延閾値を超えたと判断し、前記Ｎは正の整数であり、または、前記端末は、目下のサービスモデルに変化が生じたと判断することを特徴とする請求項１に記載のアップリンク半永続スケジューリング（ＳＰＳ）を設定する方法。
【請求項４】
前記端末が前記ＳＰＳ設定の補助情報をネットワーク側装置の送信するのは、
前記端末は、無線リソース制御ＲＲＣシグナリングと、メディアアクセス制御（ＭＡＣ）シグナリングと、物理層シグナリングとのうちの１つにより、前記ＳＰＳ設定の補助情報をネットワーク側装置に送信することを特徴とする請求項１に記載のアップリンク半永続スケジューリング（ＳＰＳ）を設定する方法。
【請求項５】
前記端末は、目下ＳＰＳを利用しているサービスが終了または中断したと判断した後、前記ネットワーク側装置にＳＰＳリリース指示情報を送信することを特徴とする請求項１ないし請求項４のいずれか１項に記載のアップリンク半永続スケジューリング（ＳＰＳ）を設定する方法。
【請求項６】
前記端末が目下ＳＰＳを利用しているサービスが終了または中断したと判断した後、前記ネットワーク側装置にＳＰＳリリース指示情報を送信する前、
前記端末が目下ＳＰＳリソース設定が複数を有する場合、前記端末は、リリースするＳＰＳの識別子を前記ＳＰＳリリース指示情報に含ませることを特徴とする請求項５に記載のアップリンク半永続スケジューリング（ＳＰＳ）を設定する方法。
【請求項７】
前記ＳＰＳの識別子は、ＳＰＳセル無線ネットワーク一時的な識別子Ｃ−ＲＮＴＩ、ＳＰＳ周期及びＳＰＳ設定インデックスのうちの１つまたはこれらの組み合わせであることを特徴とする請求項６に記載のアップリンク半永続スケジューリング（ＳＰＳ）を設定する方法。
【請求項８】
前記端末が前記ＳＰＳ設定の補助情報をネットワーク側装置に送信した後、
前記端末は、受信した前記ネットワーク側装置のアップリンクＳＰＳ情報の前後順位に従って、ＳＰＳそれぞれのＳＰＳ設定インデックスを決定し、または、
前記端末は、受信した前記ネットワーク側装置のアップリンクＳＰＳ情報に含まれるＳＰＳ設定インデックスに基づき、ＳＰＳそれぞれのＳＰＳ設定インデックスを決定することを特徴とする請求項１ないし請求項４のいずれか１項に記載のアップリンク半永続スケジューリング（ＳＰＳ）を設定する方法。
【請求項９】
前記端末が前記ＳＰＳ設定の補助情報をネットワーク側装置に送信した後、
前記端末は、前記ネットワーク側装置からアップリンクＳＰＳ情報を受信した後、前記アップリンクＳＰＳ情報にデフォルトパラメータが含まれば、前記ＳＰＳ設定の補助情報内の、前記デフォルトパラメータと同様なタイプであるパラメータを利用することを特徴とする請求項１ないし請求項４のいずれか１項に記載のアップリンク半永続スケジューリング（ＳＰＳ）を設定する方法。
【請求項１０】
ネットワーク側装置は、端末からＳＰＳ設定の補助情報を受信するステップと、
前記ネットワーク側装置は、受信した前記ＳＰＳ設定の補助情報に基づき、前記端末のためにアップリンクＳＰＳ情報を設定するステップとを備えることを特徴とするアップリンク半永続スケジューリング（ＳＰＳ）を設定する方法。
【請求項１１】
前記ＳＰＳ設定の補助情報は、
前記端末が望ましいアップリンクＳＰＳリソースの時間領域における開始位置と、
前記端末が望ましいアップリンクＳＰＳリソースの設定周期と、
データパッケージサイズの指示情報と、
サービスタイプの指示情報とのうちの一部または全部を含むことを特徴とする請求項１０に記載のアップリンク半永続スケジューリング（ＳＰＳ）を設定する方法。
【請求項１２】
前記ネットワーク側装置が、受信した前記ＳＰＳ設定の補助情報に基づき、前記端末のためにアップリンクＳＰＳ情報を設定するのは、
前記ネットワーク側装置は、受信した前記ＳＰＳ設定の補助情報に基づき、前記端末が望ましいアップリンクＳＰＳ情報を決定し、
前記ネットワーク側装置は、前記端末が望ましいアップリンクＳＰＳ情報に基づき、前記端末のためにアップリンクＳＰＳ情報を設定することを特徴とする請求項１０に記載のアップリンク半永続スケジューリング（ＳＰＳ）を設定する方法。
【請求項１３】
前記ネットワーク側装置が、前記端末が望ましいアップリンクＳＰＳ情報に基づき、前記端末のためにアップリンクＳＰＳ情報を設定するのは、
前記ネットワーク側装置は、前記端末に対応するアップリンクＳＰＳ情報内の、前記端末が望ましいアップリンクＳＰＳ情報に含まれるパラメータと同様なパラメータを、デフォルトパラメータとして設定し、
前記ネットワーク側装置は、前記端末のために、設定された後のアップリンクＳＰＳ情報を設定することを特徴とする請求項１２に記載のアップリンク半永続スケジューリング（ＳＰＳ）を設定する方法。
【請求項１４】
前記ネットワーク側装置が、前記端末が望ましいアップリンクＳＰＳ情報に基づき、前記端末のためにアップリンクＳＰＳ情報を設定するのは、
前記ネットワーク側装置は、ＳＰＳのＳＰＳ設定インデックスを、前記ＳＰＳに対応するアップリンクＳＰＳ情報に含ませることを特徴とする請求項１２に記載のアップリンク半永続スケジューリング（ＳＰＳ）を設定する方法。
【請求項１５】
ＳＰＳ設定の補助情報を決定する決定モジュールと、
前記ネットワーク側装置が、受信した前記ＳＰＳ設定の補助情報に基づき、端末のためにアップリンクＳＰＳ情報を設定するように、前記決定モジュールにより決定された前記ＳＰＳ設定の補助情報をネットワーク側装置に送信する処理モジュールとを備えることを特徴とするアップリンク半永続スケジューリングＳＰＳを設定する端末。
【請求項１６】
前記決定モジュールは、
望ましいアップリンクＳＰＳリソースの時間領域における開始位置と、
望ましいアップリンクＳＰＳリソースの設定周期と、
データパッケージサイズの指示情報と、
サービスタイプの指示情報とのうちの一部または全部を、ＳＰＳ設定の補助情報とすることを特徴とする請求項１５に記載のアップリンク半永続スケジューリングＳＰＳを設定する端末。
【請求項１７】
前記ＳＰＳ設定の補助情報はＳＰＳ活性化指示情報であり、前記決定モジュールは、下記トリガー条件を満足した後、ＳＰＳ設定の補助情報を決定し、
アップリンクＳＰＳリソースを利用する必要があるサービスが到達すると判断し、
または、
前記ＳＰＳ設定の補助情報はＳＰＳ設定アップデート指示情報であり、前記決定モジュールは、下記トリガー条件を満足した後、ＳＰＳ設定の補助情報を決定し、
目下のＳＰＳ設定の場合、Ｎ個のデータパッケージの待ち遅延が所定の遅延閾値を超えると判断し、前記Ｎは正の整数であり、または、目下のサービスモデルに変化が生じると判断することを特徴とする請求項１５に記載のアップリンク半永続スケジューリングＳＰＳを設定する端末。
【請求項１８】
前記処理モジュールは、
無線リソース制御ＲＲＣシグナリング、メディアアクセス制御（ＭＡＣ）シグナリング及び物理層シグナリングのうちの１つにより、前記ＳＰＳ設定の補助情報をネットワーク側装置に送信することを特徴とする請求項１５に記載のアップリンク半永続スケジューリングＳＰＳを設定する端末。
【請求項１９】
前記処理モジュールは、
目下利用しているＳＰＳのサービスが終了または中断したと判断した後、前記ネットワーク側装置にＳＰＳリリース指示情報を送信することを特徴とする請求項１５ないし請求項１８のいずれか１項に記載のアップリンク半永続スケジューリングＳＰＳを設定する端末。
【請求項２０】
前記処理モジュールは、
前記端末が目下ＳＰＳリソース設定が複数を有する場合、前記端末は、リリースするＳＰＳの識別子を前記ＳＰＳリリース指示情報に含ませることを特徴とする請求項１９に記載のアップリンク半永続スケジューリングＳＰＳを設定する端末。
【請求項２１】
前記ＳＰＳの識別子は、
ＳＰＳ セル無線ネットワーク一時的な識別子Ｃ−ＲＮＴＩ、ＳＰＳ周期及びＳＰＳ設定インデックスのうちの１つまたはそれらの組み合わせであることを特徴とする請求項１９に記載のアップリンク半永続スケジューリングＳＰＳを設定する端末。
【請求項２２】
前記処理モジュールは、
受信した前記ネットワーク側装置のアップリンクＳＰＳ情報の前後順位に従って、ＳＰＳそれぞれのＳＰＳ設定インデックスを決定し、または、受信した前記ネットワーク側装置のアップリンクＳＰＳ情報に含まれるＳＰＳ設定インデックスに基づき、ＳＰＳそれぞれのＳＰＳ設定インデックスを決定することを特徴とする請求項１５ないし請求項１８のいずれか１項に記載のアップリンク半永続スケジューリングＳＰＳを設定する端末。
【請求項２３】
前記処理モジュールは、
前記ネットワーク側装置からアップリンクＳＰＳ情報を受信した後、前記アップリンクＳＰＳ情報にデフォルトパラメータが含まれば、前記ＳＰＳ設定の補助情報内の、前記デフォルトパラメータと同様なタイプであるパラメータを利用することを特徴とする請求項１５ないし請求項１８のいずれか１項に記載のアップリンク半永続スケジューリングＳＰＳを設定する端末。
【請求項２４】
端末からＳＰＳ設定の補助情報を受信する受信モジュールと、
受信した前記ＳＰＳ設定の補助情報に基づき、前記端末のためにアップリンクＳＰＳ情報を設定する設定モジュールとを備えることを特徴とするアップリンク半永続スケジューリングＳＰＳを設定するネットワーク側装置。
【請求項２５】
前記ＳＰＳ設定の補助情報は、
前記端末が望ましいアップリンクＳＰＳリソースの時間領域における開始位置と、
前記端末が望ましいアップリンクＳＰＳリソースの設定周期と、
データパッケージサイズの指示情報と、
サービスタイプの指示情報とのうちの一部または全部を含むことを特徴とする請求項２４に記載のアップリンク半永続スケジューリングＳＰＳを設定するネットワーク側装置。
【請求項２６】
前記設定モジュールは、
受信した前記ＳＰＳ設定の補助情報に基づき、前記端末が望ましいアップリンクＳＰＳ情報を決定し、前記端末が望ましいアップリンクＳＰＳ情報に基づき、前記端末のためにアップリンクＳＰＳ情報を設定することを特徴とする請求項２４に記載のアップリンク半永続スケジューリングＳＰＳを設定するネットワーク側装置。
【請求項２７】
前記設定モジュールは、
前記端末に対応するアップリンクＳＰＳ情報内の、前記端末が望ましいアップリンクＳＰＳ情報に含まれるパラメータと同様なパラメータを、デフォルトパラメータと設定し、前記端末のために設定された後のアップリンクＳＰＳ情報を設定することを特徴とする請求項２６に記載のアップリンク半永続スケジューリングＳＰＳを設定するネットワーク側装置。
【請求項２８】
前記設定モジュールは、
ＳＰＳのＳＰＳ設定インデックスを、前記ＳＰＳに対応するアップリンクＳＰＳ情報に含ませることを特徴とする請求項２６に記載のアップリンク半永続スケジューリングＳＰＳを設定するネットワーク側装置。
【請求項２９】
プロセッサと、メモリと、送受信機とを備え、前記プロセッサ、前記メモリ及び前記送受信機は、バスインターフェイスを介して接続され、
前記メモリには、所定のプログラムが格納されており、
前記プロセッサは、メモリに格納されたプログラムを読み出して、ＳＰＳ設定の補助情報を決定し、前記ネットワーク側装置が、受信した前記ＳＰＳ設定の補助情報に基づき、前記端末のためにアップリンクＳＰＳ情報を設定するように、送受信機により前記ＳＰＳ設定の補助情報をネットワーク側装置に送信し、
前記送受信機は、プロセッサの制御によりデータを送受信することを特徴とする端末。
【請求項３０】
前記プロセッサは、
望ましいアップリンクＳＰＳリソースの時間領域における開始位置と、
望ましいアップリンクＳＰＳリソースの設定周期と、
データパッケージサイズの指示情報と、
サービスタイプの指示情報とのうちの一部または全部を、ＳＰＳ設定の補助情報とすることを特徴とする請求項２９に記載の端末。
【請求項３１】
前記ＳＰＳ設定の補助情報はＳＰＳ活性化指示情報であり、前記プロセッサは、下記トリガー条件を満足した後、ＳＰＳ設定の補助情報を決定し、
アップリンクＳＰＳリソースを利用する必要があるサービスが到達すると判断し、
または、
前記ＳＰＳ設定の補助情報はＳＰＳ設定アップデート指示情報であり、前記プロセッサは、下記トリガー条件を満足した後、ＳＰＳ設定の補助情報を決定し、
目下のＳＰＳ設定の場合、Ｎ個のデータパッケージの待ち遅延が所定の遅延閾値を超えると判断し、前記Ｎは正の整数であり、または、目下のサービスモデルに変化が生じると判断することを特徴とする請求項２９に記載の端末。
【請求項３２】
前記プロセッサは、
前記送受信機を制御して、無線リソース制御ＲＲＣシグナリング、メディアアクセス制御（ＭＡＣ）シグナリング及び物理層シグナリングのうちの１つにより、前記ＳＰＳ設定の補助情報をネットワーク側装置に送信することを特徴とする請求項２９に記載の端末。
【請求項３３】
前記プロセッサは、
目下利用しているＳＰＳのサービスが終了または中断したと判断した後、前記送受信機を制御して、前記ネットワーク側装置にＳＰＳリリース指示情報を送信することを特徴とする請求項２９ないし請求項３２のいずれか１項に記載の端末。
【請求項３４】
前記プロセッサはあ、
前記端末が目下ＳＰＳリソース設定が複数を有する場合、前記端末は、リリースするＳＰＳの識別子を前記ＳＰＳリリース指示情報に含ませることを特徴とする請求項３３に記載の端末。
【請求項３５】
前記ＳＰＳの識別子は、
ＳＰＳ セル無線ネットワーク一時的な識別子Ｃ−ＲＮＴＩ、ＳＰＳ周期及びＳＰＳ設定インデックスのうつの１つまたはそれらの組み合わせであることを特徴とする請求項３３に記載の端末。
【請求項３６】
前記プロセッサは、
受信した前記ネットワーク側装置のアップリンクＳＰＳ情報の前後順位に従って、ＳＰＳそれぞれのＳＰＳ設定インデックスを決定し、または、受信した前記ネットワーク側装置のアップリンクＳＰＳ情報に含まれるＳＰＳ設定インデックスに基づき、ＳＰＳそれぞれのＳＰＳ設定インデックスを決定することを特徴とする請求項２９ないし請求項３２のいずれか１項に記載の端末。
【請求項３７】
前記プロセッサは、
前記ネットワーク側装置からアップリンクＳＰＳ情報を受信した後、前記アップリンクＳＰＳ情報にデフォルトパラメータが含まれば、前記ＳＰＳ設定の補助情報内の、前記デフォルトパラメータと同様なタイプであるパラメータを利用することを特徴とする請求項２９ないし請求項３２のいずれか１項に記載の端末。
【請求項３８】
プロセッサと、メモリと、送受信機とを備え、前記プロセッサ、前記メモリ及び前記送受信機は、バスインターフェイスを介して接続される、
前記メモリには、所定のプログラムが格納されており、
前記プロセッサは、メモリに格納されたプログラムを読み出して、送受信機により端末からＳＰＳ設定の補助情報を受信し、受信した前記ＳＰＳ設定の補助情報に基づき、前記端末のためにアップリンクＳＰＳ情報を設定し、
前記送受信機は、プロセッサの制御によりデータを送受信することを特徴とするネットワーク側装置。
【請求項３９】
。
前記ＳＰＳ設定の補助情報は、
前記端末が望ましいアップリンクＳＰＳリソースの時間領域における開始位置と、
前記端末が望ましいアップリンクＳＰＳリソースの設定周期と、
データパッケージサイズの指示情報と
サービスタイプの指示情報とのうちの一部または全部を含むことを特徴とする請求項３８に記載のネットワーク側装置。
【請求項４０】
前記設定モジュールは、
受信した前記ＳＰＳ設定の補助情報に基づき、前記端末が望ましいアップリンクＳＰＳ情報を決定し、前記端末が望ましいアップリンクＳＰＳ情報に基づき、前記端末のためにアップリンクＳＰＳ情報を設定することを特徴とする請求項３８に記載のネットワーク側装置。
【請求項４１】
前記プロセッサは、
前記端末に対応するアップリンクＳＰＳ情報内の、前記端末が望ましいアップリンクＳＰＳ情報に含まれるパラメータと同様なパラメータを、デフォルトパラメータと設定し、前記端末のために設定された後のアップリンクＳＰＳ情報を設定することを特徴とする請求項４０に記載のネットワーク側装置。
【請求項４２】
ＳＰＳのＳＰＳ設定インデックスを、前記ＳＰＳに対応するアップリンクＳＰＳ情報に含ませることを特徴とする請求項４０に記載のネットワーク側装置。
【発明の詳細な説明】
【技術分野】
【０００１】
本発明は無線通信技術分野に関し、特に、アップリンク半永続スケジューリングを設定する方法、端末及びネットワーク側装置に関する。
【背景技術】
【０００２】
制御シグナリングのオーバーヘッドを減少するため、ＬＴＥ（Ｌｏｎｇ Ｔｅｒｍ Ｅｖｏｌｕｔｉｏｎ）システムには、データパッケージサイズがほぼ同様であり、かつ到達時間間隔が定期的であるサービスに対し、ＳＰＳ（Ｓｅｍｉ−Ｐｅｒｓｉｓｔｅｎｔ Ｓｃｈｅｄｕｌｉｎｇ，半永続スケジューリング）が導入された。
【０００３】
従来のＬＴＥシステムは、動的なスケジューリング及びＳＰＳとの２種のスケジューリングをサポートする。動的なスケジューリングは、サービスデータ到達時間がランダム的であり、かつ、データパッケージサイズが不規則であるサービスに適用する。一方、ＳＰＳは、サービスデータ周期が到達し、かつ、データパッケージサイズが固定的であるサービス（例えば、音声サービス）に適用する。ダウンリンクＳＰＳの場合、ネットワーク側装置は、サービスデータパッケージのダウンリンク到達時間を取得できるため、ダウンリンクＳＰＳリソースをタイムリーに設定して、サービスデータパッケージの伝送遅延への要求を確保することができる。
【０００４】
ダウンリンクＳＰＳの場合、ネットワーク側装置は、サービスデータパッケージのダウンリンク到達時間を取得することにより、ダウンリンクＳＰＳリソースをタイムリーに設定して、サービスデータパッケージの伝送遅延への要求を確保することができる。一方、アップリンクＳＰＳの場合、サービスデータは、端末により生成されるため、ネットワーク側装置は、ＵＥのサービスデータ到達情報を直接に取得できず、端末がSR（Ｓｃｈｅｄｕｌｉｎｇ Ｒｅｑｕｅｓｔ，スケジューリング要求）/ＢＳＲ（Ｂｕｆｆｅｒ Ｓｔａｔｕｓ Ｒｅｐｏｒｔ，バッファー報告報告）を介してネットワーク側装置に自身のバッファー状態を報告してから、ネットワーク側装置は、アップリンクＳＰＳリソースを設定するようにできる。
【０００５】
ネットワーク側装置がＳＲ/ＢＳＲによりサービスデータの正確な到達時間を取得できないため、アップリンクＳＰＳリソース及びサービスデータパッケージ到達時間がマッチせず、サービスデータパッケージが到達した後に、待ち時間が長い恐れがあり、サービスが遅延への要求が高い場合、サービスの遅延への要求を満足できなくなる。 
【０００６】
よって、現在、アップリンクＳＰＳ及びサービスデータパッケージの到達時間がマッチせず、サービスデータパッケージが到達した後に、待ち時間が長くて、サービスの遅延を延びてしまう。
【発明の概要】
【発明が解決しようとする課題】
【０００７】
本発明に係るアップリンク半永続スケジューリングを設定する方法は、従来のアップリンクＳＰＳ及びサービスデータパッケージの到達時間がマッチせず、サービスデータパッケージが到達した後に、待ち時間が長くて、サービスの遅延を延びてしまう従来の問題点を解決する。
【課題を解決するための手段】
【０００８】
本発明の実施例に係るアップリンク半永続スケジューリング（ＳＰＳ）を設定する方法は、
端末は、ＳＰＳ設定の補助情報を決定するステップと、
前記ネットワーク側装置が受信したＳＰＳ設定の補助情報に基づいて、前記端末のためにアップリンクＳＰＳ情報を設定するように、前記端末は、前記ＳＰＳ設定の補助情報をネットワーク側装置の送信するステップとを備える。
【０００９】
好ましくは、前記端末がＳＰＳ設定の補助情報を決定するステップは、
前記端末は、前記端末が望ましいアップリンクＳＰＳリソースの時間領域における開始位置と、
前記端末が望ましいアップリンクＳＰＳリソースの設定周期と、
データパッケージサイズの指示情報と、
サービスタイプの指示情報とのうちの一部または全部をＳＰＳ設定の補助情報とする。
【００１０】
好ましくは、前記ＳＰＳ設定の補助情報はＳＰＳ活性化指示情報であり、前記端末は、下記のトリガー条件を満足した後、ＳＰＳ設定の補助情報を決定し、
前記端末は、アップリンクＳＰＳリソースを利用する必要があるサービスが到達すると判断し、または、
前記ＳＰＳ設定の補助情報はＳＰＳ設定アップデート指示情報であり、
前記端末は、下記のトリガー条件を満足した後、ＳＰＳ設定の補助情報を決定し、
前記端末は、目下のＳＰＳ設定により、Ｎ個のデータパッケージの待ち遅延が所定の遅延閾値を超えたと判断し、前記Ｎは正の整数であり、または、前記端末は、目下のサービスモデルに変化が生じたと判断する。
【００１１】
好ましくは、前記端末が前記ＳＰＳ設定の補助情報をネットワーク側装置の送信することは、
前記端末は、無線リソース制御ＲＲＣシグナリングと、メディアアクセス制御（ＭＡＣ）シグナリングと、物理層シグナリングとのうちの１つにより、前記ＳＰＳ設定の補助情報をネットワーク側装置に送信することである。
【００１２】
好ましくは、前記方法は、
前記端末は、目下ＳＰＳを利用しているサービスが終了または中断したと判断した後、前記ネットワーク側装置にＳＰＳリリース指示情報を送信するステップをさらに備える。
【００１３】
好ましくは、前記端末が目下ＳＰＳを利用しているサービスが終了または中断したと判断した後、前記ネットワーク側装置にＳＰＳリリース指示情報を送信する前、
前記端末が目下ＳＰＳリソース設定が複数を有する場合、前記端末は、リリースするＳＰＳの識別子を前記ＳＰＳリリース指示情報に含ませるステップをさらに備える。
【００１４】
好ましくは、前記ＳＰＳの識別子は、
ＳＰＳ Ｃ−ＲＮＴＩ、ＳＰＳ周期及びＳＰＳ設定インデックス以下の１つまたはそれらの組み合わせである。
【００１５】
好ましくは、前記端末が前記ＳＰＳ設定の補助情報をネットワーク側装置に送信した後、
前記端末は、受信した前記ネットワーク側装置のアップリンクＳＰＳ情報の前後順位に従って、ＳＰＳそれぞれのＳＰＳ設定インデックスを決定し、または、
前記端末は、受信した前記ネットワーク側装置のアップリンクＳＰＳ情報に含まれるＳＰＳ設定インデックスに基づき、ＳＰＳそれぞれのＳＰＳ設定インデックスを決定する。
【００１６】
好ましくは、前記端末が前記ＳＰＳ設定の補助情報をネットワーク側装置に送信した後、
前記端末は、前記ネットワーク側装置からアップリンクＳＰＳ情報を受信した後、前記アップリンクＳＰＳ情報にデフォルトパラメータが含まれば、前記ＳＰＳ設定の補助情報内の、前記デフォルトパラメータと同様なタイプであるパラメータを利用する。
【００１７】
本発明の実施例に係るアップリンク半永続スケジューリング（ＳＰＳ）を設定する方法は、
ネットワーク側装置は、端末からＳＰＳ設定の補助情報を受信するステップと、
前記ネットワーク側装置は、受信した前記ＳＰＳ設定の補助情報に基づき、前記端末のためにアップリンクＳＰＳ情報を設定するステップとを備える。
【００１８】
好ましくは、前記ＳＰＳ設定の補助情報は、
前記端末が望ましいアップリンクＳＰＳリソースの時間領域における開始位置と、
前記端末が望ましいアップリンクＳＰＳリソースの設定周期と、
データパッケージサイズの指示情報と、
サービスタイプの指示情報とのうちの一部または全部を含む。
【００１９】
好ましくは、前記ネットワーク側装置が受信した前記ＳＰＳ設定の補助情報に基づき、前記端末のためにアップリンクＳＰＳ情報を設定するステップは、
前記ネットワーク側装置は、受信した前記ＳＰＳ設定の補助情報に基づき、前記端末が望ましいアップリンクＳＰＳ情報を決定するステップと、
前記ネットワーク側装置は、前記端末が望ましいアップリンクＳＰＳ情報に基づき、前記端末のためにアップリンクＳＰＳ情報を設定するステップとを備える。
【００２０】
好ましくは、前記ネットワーク側装置が前記端末が望ましいアップリンクＳＰＳ情報に基づき、前記端末のためにアップリンクＳＰＳ情報を設定するステップは、
前記ネットワーク側装置は、前記端末に対応するアップリンクＳＰＳ情報内の、前記端末が望ましいアップリンクＳＰＳ情報に含まれるパラメータと同様なパラメータを、デフォルトパラメータとして設定するステップと、
前記ネットワーク側装置は、前記端末のために、設定された後のアップリンクＳＰＳ情報を設定するステップとを備える。
【００２１】
好ましくは、前記ネットワーク側装置が、前記端末が望ましいアップリンクＳＰＳ情報に基づき、前記端末のためにアップリンクＳＰＳ情報を設定するステップは、
前記ネットワーク側装置は、ＳＰＳのＳＰＳ設定インデックスを、前記ＳＰＳに対応するアップリンクＳＰＳ情報に含ませるステップを備える。
【００２２】
本発明の実施例に係るアップリンク半永続スケジューリングＳＰＳを設定する端末は、
ＳＰＳ設定の補助情報を決定する決定モジュールと、
前記ネットワーク側装置が、受信した前記ＳＰＳ設定の補助情報に基づき、前記端末のためにアップリンクＳＰＳ情報を設定するように、前記ＳＰＳ設定の補助情報をネットワーク側装置に送信する処理モジュールとを備える。
【００２３】
好ましくは、前記決定モジュールは、
望ましいアップリンクＳＰＳリソースの時間領域における開始位置と、
望ましいアップリンクＳＰＳリソースの設定周期と、
データパッケージサイズの指示情報と、
サービスタイプの指示情報と、のうちの一部または全部をＳＰＳ設定の補助情報とする。
【００２４】
好ましくは、前記ＳＰＳ設定の補助情報はＳＰＳ活性化指示情報であり、前記決定モジュールは、下記トリガー条件を満足した後、ＳＰＳ設定の補助情報を決定する、
アップリンクＳＰＳリソースを利用する必要があるサービスが到達すると判断し、または、
前記ＳＰＳ設定の補助情報はＳＰＳ設定アップデート指示情報であり、前記決定モジュールは、下記トリガー条件を満足した後、ＳＰＳ設定の補助情報を決定する
目下のＳＰＳ設定の場合、Ｎ個のデータパッケージの待ち遅延が所定の遅延閾値を超えると判断し、前記Ｎは正の整数であり、または、目下のサービスモデルに変化が生じると判断する。
【００２５】
好ましくは、前記処理モジュールは、
ＲＲＣシグナリング、ＭＡＣシグナリング及び物理層シグナリングのうちの１により、前記ＳＰＳ設定の補助情報をネットワーク側装置に送信する。
【００２６】
好ましくは、前記処理モジュールは、
目下利用しているＳＰＳのサービスが終了または中断したと判断した後、前記ネットワーク側装置にＳＰＳリリース指示情報を送信する。
【００２７】
好ましくは、前記処理モジュールは、
前記端末が目下ＳＰＳリソース設定が複数を有する場合、前記端末は、リリースするＳＰＳの識別子を前記ＳＰＳリリース指示情報に含ませる。
【００２８】
好ましくは、前記ＳＰＳの識別子は、ＳＰＳ Ｃ−ＲＮＴＩ、ＳＰＳ周期及びＳＰＳ設定インデックスのうちの１つまたはそれらの組み合わせである。
【００２９】
好ましくは、前記処理モジュールは、
受信した前記ネットワーク側装置のアップリンクＳＰＳ情報の前後順位に従って、ＳＰＳそれぞれのＳＰＳ設定インデックスを決定し、または、受信した前記ネットワーク側装置のアップリンクＳＰＳ情報に含まれるＳＰＳ設定インデックスに基づき、ＳＰＳそれぞれのＳＰＳ設定インデックスを決定する。
【００３０】
好ましくは、前記処理モジュールは、
前記ネットワーク側装置からアップリンクＳＰＳ情報を受信した後、前記アップリンクＳＰＳ情報にデフォルトパラメータが含まれば、前記ＳＰＳ設定の補助情報内の、前記デフォルトパラメータと同様なタイプであるパラメータを利用する。
【００３１】
本発明の実施例に係るアップリンク半永続スケジューリングＳＰＳを設定するネットワーク側装置は、
端末からＳＰＳ設定の補助情報を受信する受信モジュールと、
受信した前記ＳＰＳ設定の補助情報に基づき、前記端末のためにアップリンクＳＰＳ情報を設定する設定モジュールとを備える。
【００３２】
好ましくは、前記ＳＰＳ設定の補助情報は、
前記端末が望ましいアップリンクＳＰＳリソースの時間領域における開始位置と、
前記端末が望ましいアップリンクＳＰＳリソースの設定周期と、
データパッケージサイズの指示情報と、
サービスタイプの指示情報とのうちの一部または全部を含む。
【００３３】
好ましくは、前記設定モジュールは、
受信した前記ＳＰＳ設定の補助情報に基づき、前記端末が望ましいアップリンクＳＰＳ情報を決定し、前記端末が望ましいアップリンクＳＰＳ情報に基づき、前記端末のためにアップリンクＳＰＳ情報を設定する。
【００３４】
好ましくは、前記設定モジュールは、
前記端末に対応するアップリンクＳＰＳ情報内の、前記端末が望ましいアップリンクＳＰＳ情報に含まれるパラメータと同様なパラメータを、デフォルトパラメータと設定し、前記端末のために設定された後のアップリンクＳＰＳ情報を設定する。
【００３５】
好ましくは、前記設定モジュールは、
ＳＰＳのＳＰＳ設定インデックスを、前記ＳＰＳに対応するアップリンクＳＰＳ情報に含ませる。
【００３６】
本発明の実施例に係る端末は、プロセッサと、メモリと、送受信機とを備え、前記プロセッサ、前記メモリ及び前記送受信機は、バスインターフェイスを介して接続される。
【００３７】
前記メモリには、所定のプログラムが格納されており、
前記プロセッサは、メモリに格納されたプログラムを読み出して、ＳＰＳ設定の補助情報を決定し、前記ネットワーク側装置が、受信した前記ＳＰＳ設定の補助情報に基づき、前記端末のためにアップリンクＳＰＳ情報を設定するように、送受信機により前記ＳＰＳ設定の補助情報をネットワーク側装置に送信する。
【００３８】
前記送受信機は、プロセッサの制御によりデータを送受信する。
【００３９】
好ましくは、前記プロセッサは、望ましいアップリンクＳＰＳリソースの時間領域における開始位置と、
望ましいアップリンクＳＰＳリソースの設定周期と
データパッケージサイズの指示情報と
サービスタイプの指示情報とのうちの一部または全部を、ＳＰＳ設定の補助情報とする。
【００４０】
好ましくは、前記ＳＰＳ設定の補助情報はＳＰＳ活性化指示情報であり、前記プロセッサは、下記トリガー条件を満足した後、ＳＰＳ設定の補助情報を決定し、
アップリンクＳＰＳリソースを利用する必要があるサービスが到達すると判断し、または、
前記ＳＰＳ設定の補助情報はＳＰＳ設定アップデート指示情報であり、前記プロセッサは、下記トリガー条件を満足した後、ＳＰＳ設定の補助情報を決定する
目下のＳＰＳ設定の場合、Ｎ個のデータパッケージの待ち遅延が所定の遅延閾値を超えると判断し、前記Ｎは正の整数であり、または、目下のサービスモデルに変化が生じると判断する。
【００４１】
好ましくは、前記プロセッサは、
前記送受信機を制御して、ＲＲＣシグナリング、ＭＡＣシグナリング及び物理層シグナリングのうちの１により、前記ＳＰＳ設定の補助情報をネットワーク側装置に送信する。
【００４２】
好ましくは、前記プロセッサは、目下利用しているＳＰＳのサービスが終了または中断したと判断した後、前記送受信機を制御して、前記ネットワーク側装置にＳＰＳリリース指示情報を送信する。
【００４３】
好ましくは、前記プロセッサは、前記端末が目下ＳＰＳリソース設定が複数を有する場合、前記端末は、リリースするＳＰＳの識別子を前記ＳＰＳリリース指示情報に含ませる。
【００４４】
好ましくは、前記ＳＰＳの識別子は、ＳＰＳ Ｃ−ＲＮＴＩ、ＳＰＳ周期及びＳＰＳ設定インデックスのうちの１つまたはそれらの組み合わせである。
【００４５】
好ましくは、前記プロセッサは、受信した前記ネットワーク側装置のアップリンクＳＰＳ情報の前後順位に従って、ＳＰＳそれぞれのＳＰＳ設定インデックスを決定し、または、受信した前記ネットワーク側装置のアップリンクＳＰＳ情報に含まれるＳＰＳ設定インデックスに基づき、ＳＰＳそれぞれのＳＰＳ設定インデックスを決定し。
【００４６】
好ましくは、前記プロセッサは、前記ネットワーク側装置からアップリンクＳＰＳ情報を受信した後、前記アップリンクＳＰＳ情報にデフォルトパラメータが含まれば、前記ＳＰＳ設定の補助情報内の、前記デフォルトパラメータと同様なタイプであるパラメータを利用する。
【００４７】
本発明の実施例に係るネットワーク側装置は、プロセッサと、メモリと、送受信機とを備え、前記プロセッサ、前記メモリ及び前記送受信機は、バスインターフェイスを介して接続される。
【００４８】
前記メモリには、所定のプログラムが格納されており、
前記プロセッサは、メモリに格納されたプログラムを読み出して、送受信機により端末からＳＰＳ設定の補助情報を受信し、受信した前記ＳＰＳ設定の補助情報に基づき、前記端末のためにアップリンクＳＰＳ情報を設定する。
【００４９】
前記送受信機は、プロセッサの制御によりデータを送受信する。
【００５０】
好ましくは、前記ＳＰＳ設定の補助情報は、
前記端末が望ましいアップリンクＳＰＳリソースの時間領域における開始位置と、
前記端末が望ましいアップリンクＳＰＳリソースの設定周期と、
データパッケージサイズの指示情報と、
サービスタイプの指示情報とのうちの一部または全部を含む。
【００５１】
好ましくは、前記プロセッサは、受信した前記ＳＰＳ設定の補助情報に基づき、前記端末が望ましいアップリンクＳＰＳ情報を決定し、前記端末が望ましいアップリンクＳＰＳ情報に基づき、前記端末のためにアップリンクＳＰＳ情報を設定する。
【００５２】
好ましくは、前記プロセッサは、前記端末に対応するアップリンクＳＰＳ情報内の、前記端末が望ましいアップリンクＳＰＳ情報に含まれるパラメータと同様なパラメータを、デフォルトパラメータと設定し、前記端末のために設定された後のアップリンクＳＰＳ情報を設定する。
【００５３】
好ましくは、前記プロセッサは、ＳＰＳのＳＰＳ設定インデックスを、前記ＳＰＳに対応するアップリンクＳＰＳ情報に含ませる。
【発明の効果】
【００５４】
本発明の実施例に係る端末が前記ＳＰＳ設定の補助情報をネットワーク側装置の送信することにより、前記ネットワーク側装置は、受信した前記ＳＰＳ設定の補助情報に基づき、前記端末のためにアップリンクＳＰＳ情報を設定する。端末が前記ＳＰＳ設定の補助情報をネットワーク側装置に送信するため、ネットワーク側装置は、アップリンクＳＰＳを設定する場合ＳＰＳ設定の補助情報を参考することができ、こうして、アップリンクＳＰＳとサービスデータパッケージの到達時間がマッチしない確率を低減し、サービスデータパッケージが到達した後の待ち時間が短縮され、サービス遅延が低減される。
【図面の簡単な説明】
【００５５】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図１】本発明の実施例に係るアップリンク半永続スケジューリングを設定するシステムの構成図である。
【図２】本発明の実施例に係る第１種の端末の構成図である。
【図３】本発明の実施例に係る第１種のネットワーク側装置の構成図である。
【図４】本発明の実施例に係る第２種の端末の構成図である。
【図５】本発明の実施例に係る第２種のネットワーク側装置の構成図である。
【図６】本発明の実施例に係る第１種のアップリンク半永続スケジューリングを設定する方法のフローチャートである。
【図７】本発明の実施例に係る第２種のアップリンク半永続スケジューリングを設定する方法のフローチャートである。
【図８】本発明の実施例に係るネットワーク側装置は、据端末から報告されたＳＰＳ設定の補助情報に基づき、ＳＰＳ設定活性化を行う方法のフローチャートである。
【図９】本発明の実施例に係るネットワーク側装置が端末により報告されたＳＰＳ設定の補助情報に基づきＳＰＳ設定をアップデートする方法のフローチャートである。
【図１０】本発明の実施例に係るネットワーク側装置は、端末により報告されたＳＰＳ設定の補助情報に基づき、ＳＰＳリリースを行う方法のフローチャートである。
【発明を実施するための形態】
【００５６】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【００５７】
図１に示すように、本発明実施例アップリンク半永続スケジューリングを設定するシステムは、端末１０と、ネットワーク側装置２０とを備える。
【００５８】
端末１０は、ＳＰＳ設定の補助情報を決定し、前記ＳＰＳ設定の補助情報をネットワーク側装置に送信する。
【００５９】
ネットワーク側装置２０は、端末からＳＰＳ設定の補助情報を受信し、受信した前記ＳＰＳ設定の補助情報に基づき、前記端末のためにアップリンクＳＰＳ情報を設定する。
【００６０】
ここで、本発明の実施例に係るＳＰＳ設定の補助情報には、ネットワーク側装置に、端末のためにアップリンクＳＰＳ情報を設定させるようにする、いかなる情報が含まれる。例えば、ネットワーク側装置に、端末サービスの開示時間を決定させるようにする情報が含まれる。
【００６１】
好ましくは、前記端末は、前記端末が望ましいアップリンクＳＰＳリソースの時間領域における開始位置と、前記端末が望ましいアップリンクＳＰＳリソースの設定周期と、データパッケージサイズの指示情報と、サービスタイプの指示情報とのうちの一部または全部をＳＰＳ設定の補助情報とする。
【００６２】
ここで、端末が望ましいアップリンクＳＰＳリソースの時間領域における開始位置は、ネットワーク側装置に、アップリンクＳＰＳリソースの時間領域における開始位置を決定させるようにするいかなる情報であり、例えば、サブフレームインデックス、絶対時間指示情報等。
【００６３】
前記端末が望ましいアップリンクＳＰＳリソースの設定周期は、単一周期としてもよく、マルチ周期（単一周期とは、ＳＰＳ設定の場合、１種の周期のみを有し、例えば、ＳＰＳリソースは、１００ms周期で繰り返して現れる。マルチ周期とは、ＳＰＳリソースが複数の周期をサポートし、例えば、小パッケージを伝送するＳＰＳリソースの周期が１００msであり、大パッケージを伝送するＳＰＳリソースの周期が５００msである）としてもよい。
【００６４】
データパッケージサイズの指示情報は、データパッケージ典型的なビット数であるか、または望ましいリソースブロックサイズ等情報である。
【００６５】
サービスタイプの指示情報は、サービスタイプを指示する情報であり、ネットワーク側装置にＳＰＳ周期を決定させるためのものである。
【００６６】
実施の場合、前記ＳＰＳ設定の補助情報は、ＳＰＳ活性化指示情報またはＳＰＳ設定アップデート指示情報である。当該２つの情報は、上述列挙げした情報のうちの一部または全部を含むことができる。
【００６７】
実施の場合、ネットワーク側装置のアップリンクＳＰＳ情報の決定は、ネットワーク側装置により実施される。以下例を挙げる。これは例示するためにすぎず、他のアルゴリズムを排除することではない。つまり、他のＳＰＳ設定の補助情報に基づきアップリンクＳＰＳ情報を決定することができる案は、全部本発明実施例に適用することができる。
【００６８】
＜例１＞ＳＰＳ設定の補助情報にサービスタイプの指示情報が含まれる。ネットワーク側装置が前記ＳＰＳ設定の補助情報を取得した後、下記操作の１つまたはそれらの組み合せを執行する。
【００６９】
*サービスタイプに基づき、ＳＰＳリソースの周期及びデータパッケージサイズを決定する。
【００７０】
データパッケージサイズに基づき、周波数領域リソースブロックサイズ及びＭＣＳ（Ｍｏｄｕｌａｔｉｏｎ ａｎｄ ｃｏｄｉｎｇ ｓｃｈｅｍｅ）レベル等の物理層パラメータを決定する。
【００７１】
*メッセージ受信時刻及び前記メッセージを搬送するシグナリング伝送プロセスに基づき、端末が望ましいＳＰＳサービスデータ到達のｐａｔｔｅｒｎを推測し、こうして、ＳＰＳリソース的時間領域における開始位置を決定する。
【００７２】
前記ＳＰＳサービスのためにＳＰＳ Ｃ−ＲＮＴＩ（Ｃｅｌｌ Ｒａｄｉｏ Ｎｅｔｗｏｒｋ Ｔｅｍｐｏｒａｒｙ Ｉｄｅｎｔｉｆｉｅｒ，セル無線ネットワーク一時的な識別子）を割り当てる。
【００７３】
＜例２＞ＳＰＳ設定の補助情報には、望ましいアップリンクＳＰＳリソースの時間領域における開始位置、周期及びデータパッケージサイズ指示子が含まれる。
【００７４】
ネットワーク側装置は、前記ＳＰＳ設定の補助情報を受信した後、以下操作の１つまたはそれらの組み合わせを執行する。
【００７５】
*望ましい周期に基づき、ＳＰＳ周期を決定する。
【００７６】
*データパッケージサイズに基づき、周波数領域リソースブロックサイズ及びＭＣＳレベル等物理層パラメータを決定する。
【００７７】
*端末が望ましいアップリンクＳＰＳリソースの時間領域における開始位置に基づき、ＳＰＳリソースの時間領域における開始位置を決定する。
【００７８】
*前記ＳＰＳサービスのためにＳＰＳ Ｃ−ＲＮＴＩを割り当てる。
【００７９】
＜例３＞ＳＰＳ設定の補助情報には、望ましいアップリンクＳＰＳリソースの時間領域における開始位置と、サービスタイプの指示情報とが含まれる。
【００８０】
ネットワーク側装置は、前記ＳＰＳ設定の補助情報を受信した後、以下操作の１つまたはそれらの組み合わせを執行する。
【００８１】
*サービスタイプに基づき、ＳＰＳリソースの周期及びデータパッケージサイズを決定する。
【００８２】
*データパッケージサイズに基づき、周波数領域リソースブロックサイズ及びＭＣＳレベル等物理層パラメータを決定する。
【００８３】
*端末が望ましいアップリンクＳＰＳリソースの時間領域における開始位置に基づき、ＳＰＳリソースの時間領域における開始位置を決定する。
【００８４】
*前記ＳＰＳサービスのためにＳＰＳ Ｃ−ＲＮＴＩを割り当てる。
【００８５】
前記ＳＰＳ設定の補助情報がＳＰＳ活性化指示情報であれば、前記端末は、下記のトリガー条件を満足した後、ＳＰＳ設定の補助情報を決定っする。
【００８６】
トリガー条件：前記端末は、アップリンクＳＰＳリソースを利用する必要があるサービスが到達すると判断する。
【００８７】
実施の場合、端末は、アップリンクＳＰＳリソースを利用する必要があるサービス到達（即ち、アップリンクには、ＳＰＳ特徴に合致するサービスが到達する）すると判断することは、具体的に、サービス層は直接に判断して、層間のインタラクションにより低位層に指示する。サービス層が間近に発送するデータパッケージのサービス特徴（周期及び/またはデータパッケージサイズ）またはサービスタイプを、低位層に指示し、低位層自ら判断する。低位層は、ＲＲＣ（Ｒａｄｉｏ Ｒｅｓｏｕｒｃｅ Ｃｏｎｔｒｏｌ，無線リソース制御）層、ＭＡＣ（Ｍｅｄｉｕｍ Ａｃｃｅｓｓ Ｃｏｎｔｒｏｌ，メディアアクセス制御）層、または物理層であることができる。
【００８８】
前記ＳＰＳ設定の補助情報はＳＰＳ設定アップデート指示情報であれば、前記端末は、下記のトリガー条件を満足した後、ＳＰＳ設定の補助情報を決定する。
【００８９】
＊前記端末は、目下のＳＰＳ設定により、Ｎ個のデータパッケージの待ち遅延が所定の遅延閾値を超えたと判断し、前記Ｎは正の整数である。
【００９０】
または、
＊前記端末は、目下のサービスモデルに変化が生じたと判断する（例えばＣＡＭ(Ｃｏｏｐｅｒａｔｉｖｅ Ａｗａｒｅｎｅｓｓ Ｍｅｓｓａｇｅ)からＤＥＮＭ(Ｄｅｃｅｎｔｒａｌｉｚｅｄ Ｅｎｖｉｒｏｎｍｅｎｔａｌ Ｎｏｔｉｆｉｃａｔｉｏｎ Ｍｅｓｓａｇｅ)に変更する）。
【００９１】
例えば、Ｎが５であれば、５つのデータパッケージの待ち遅延が所定の遅延閾値を超えると、前記端末は、ＳＰＳ設定の補助情報を決定する。
【００９２】
好ましくは、前記端末は、ＲＲＣシグナリング、ＭＡＣシグナリング及び物理層シグナリングのうちの１により、前記ＳＰＳ設定の補助情報をネットワーク側装置に送信する。
【００９３】
上述の３種のシグナリングの以外、ＳＰＳ設定の補助情報をネットワーク側装置に伝送できる他のシグナリングが、全部本発明に係る実施例に適用することができる。
【００９４】
本発明の実施例に係る端末は、ネットワーク側装置に上記ＳＰＳ設定の補助情報を送信する以外、ネットワーク側装置にＳＰＳリリース指示情報も送信する。
【００９５】
具体的に、前記端末は、目下ＳＰＳを利用しているサービスが終了または中断したと判断した後、前記ネットワーク側装置にＳＰＳリリース指示情報を送信する。
【００９６】
換言すれば、前記端末が前記ネットワーク側装置にＳＰＳリリース指示情報を送信するトリガー条件としては、目下利用しているＳＰＳのサービスが終了または中断することである。
【００９７】
前記端末に目下１つのＳＰＳリソース設定を有すれば、従来のＳＰＳリリースメカニズムを多重化することができる。従来のＳＰＳリリースメカニズムは、３ＧＰＰ ＴＳ ３６.３２１プロトコルを参考することができるため、繰り返して説明しない。
【００９８】
前記端末に複数のＳＰＳリソース設定を有すれば、前記端末は、リリースするＳＰＳの識別子を前記ＳＰＳリリース指示情報に含ませる。
【００９９】
ここで、ＳＰＳの識別子は、リリースするＳＰＳを唯一に識別できる情報である。例えばＳＰＳ Ｃ−ＲＮＴＩ、ＳＰＳ周期、ＳＰＳ設定インデックス等。
【０１００】
ここで、ＳＰＳ周期を利用する前提として、目下設定された複数のＳＰＳ周期が異なることである。または、同様なＳＰＳ周期を有するＳＰＳをリリースする。
【０１０１】
好ましくは、前記端末が前記ＳＰＳ設定の補助情報をネットワーク側装置に送信した後、受信した前記ネットワーク側装置のアップリンクＳＰＳ情報の前後順位に従って、ＳＰＳそれぞれのＳＰＳ設定インデックスを決定する。
【０１０２】
例えば、アップリンクＳＰＳ情報Ａを先に受信する場合、アップリンクＳＰＳ情報Ａに対応するＳＰＳのＳＰＳ設定インデックスは１である。二番目に受信したのがアップリンクＳＰＳ情報Bであれば、アップリンクＳＰＳ情報Bに対応するＳＰＳのＳＰＳ設定インデックスは２である。これによって類推する。
【０１０３】
または、受信した前記ネットワーク側装置のアップリンクＳＰＳ情報に含まれるＳＰＳ設定インデックスに基づき、ＳＰＳそれぞれのＳＰＳ設定インデックスを決定する。
【０１０４】
一方、前記ネットワーク側装置は、ＳＰＳのＳＰＳ設定インデックスを、前記ＳＰＳに対応するアップリンクＳＰＳ情報に含ませる。
【０１０５】
好ましくは、前記端末は、ＲＲＣシグナリング、ＭＡＣシグナリング及び物理層シグナリングのうちの１により、前記ＳＰＳリリース指示情報をネットワーク側装置に送信する。
【０１０６】
上述３種のシグナリングの以外、ＳＰＳリリース指示情報をネットワーク側装置に伝送できる他のシグナリングも本発明実施例に適用する。
【０１０７】
ネットワーク側装置は、前記ＳＰＳ設定の補助情報を受信した後、受信した前記ＳＰＳ設定の補助情報に基づき、前記端末が望ましいアップリンクＳＰＳ情報を決定する。また、前記端末が望ましいアップリンクＳＰＳ情報に基づき、前記端末のためにアップリンクＳＰＳ情報を設定する。
【０１０８】
換言すれば、ネットワーク側装置は、端末から報告されたＳＰＳ設定の補助情報に基づき、アップリンクＳＰＳリソースを割り当てる際に、なるべく端末のＳＰＳ設定の補助情報に含まれる指示に従う。
【０１０９】
負荷または干渉などの原因で、端末から報告されたＳＰＳ設定の補助情報に含まれる指示を満足できなければ、ネットワーク側装置は、自ら調整することができる。例えば、割り当てるアップリンクＳＰＳリソースを、時間領域において、Ｍ（Ｍ≧１、かつ整数である）ms遅延することができる。
【０１１０】
実施の場合、ネットワーク側装置は、決定されたアップリンクＳＰＳ情報を端末に通知し、アップリンクＳＰＳ情報は、従来のＬＴＥシステムのアップリンクＳＰＳ情報を多重化することができる。
【０１１１】
好ましくは、ネットワーク側装置も最適化することができ、即ち、ネットワーク側装置のアップリンクＳＰＳ情報と端末から報告された望ましいアップリンクＳＰＳ情報が同様な部分があれば、この部分のコンテンツは、ネットワーク側装置により発送されるアップリンクＳＰＳ情報においてデフォルトされることができる。
【０１１２】
具体的に、前記ネットワーク側装置は、前記端末に対応するアップリンクＳＰＳ情報内の、前記端末が望ましいアップリンクＳＰＳ情報に含まれるパラメータと同様なパラメータを、デフォルトパラメータとして設定する。前記端末のために設定された後のアップリンクＳＰＳ情報を設定する。
【０１１３】
一方、前記端末は、前記ネットワーク側装置からアップリンクＳＰＳ情報を受信した後、前記アップリンクＳＰＳ情報にデフォルトパラメータが含まれば、前記ＳＰＳ設定の補助情報内の、前記デフォルトパラメータと同様なタイプであるパラメータを利用する。アップリンクＳＰＳ情報荷含まれるパラメータは、３ＧＰＰ ＴＳ ３６.３２１プロトコルを参考すればよいため、繰り返して説明しない。
【０１１４】
ここで、本発明の実施例に係るネットワーク側装置は、基地局（例えばマクロ基地局（eNode Bを含む）、ホーム基地局等）であってもよく、ＲＮ（中継）装置、または他のネットワーク側装置であることができる。
【０１１５】
図２に示すように、本発明実施例第１種の端末は、ＳＰＳ設定の補助情報を決定する決定モジュール２００と、前記ネットワーク側装置が、受信した前記ＳＰＳ設定の補助情報に基づき、前記端末のためにアップリンクＳＰＳ情報を設定するように、前記ＳＰＳ設定の補助情報をネットワーク側装置に送信する処理モジュール２１０とを備える。
【０１１６】
好ましくは、前記決定モジュール２００は、下記情報のうちの一部または全部を、ＳＰＳ設定の補助情報とする。
【０１１７】
＊望ましいアップリンクＳＰＳリソースの時間領域における開始位置
＊望ましいアップリンクＳＰＳリソースの設定周期
＊データパッケージサイズの指示情報
＊サービスタイプの指示情報
好ましくは、前記ＳＰＳ設定の補助情報はＳＰＳ活性化指示情報であり、前記決定モジュールは、下記トリガー条件を満足した後、ＳＰＳ設定の補助情報を決定する。
【０１１８】
アップリンクＳＰＳリソースを利用する必要があるサービスが到達すると判断する。
【０１１９】
または、前記ＳＰＳ設定の補助情報はＳＰＳ設定アップデート指示情報であり、前記決定モジュールは、下記トリガー条件を満足した後、ＳＰＳ設定の補助情報を決定する。
【０１２０】
目下のＳＰＳ設定の場合、Ｎ個のデータパッケージの待ち遅延が所定の遅延閾値を超えると判断し、前記Ｎは正の整数であり、または、目下のサービスモデルに変化が生じると判断する。
【０１２１】
好ましくは、前記処理モジュール２１０は、ＲＲＣシグナリング、ＭＡＣシグナリング及び物理層シグナリングのうちの１により、前記ＳＰＳ設定の補助情報をネットワーク側装置に送信する。
【０１２２】
好ましくは、前記処理モジュール２１０は、目下利用しているＳＰＳのサービスが終了または中断したと判断した後、前記ネットワーク側装置にＳＰＳリリース指示情報を送信する。
【０１２３】
好ましくは、前記処理モジュール２１０は、前記端末が目下ＳＰＳリソース設定が複数を有する場合、前記端末は、リリースするＳＰＳの識別子を前記ＳＰＳリリース指示情報に含ませる。
【０１２４】
好ましくは、前記ＳＰＳの識別子は、ＳＰＳ Ｃ−ＲＮＴＩと、ＳＰＳ周期と、ＳＰＳ設定インデックスとのうちの１つまたはそれらの組み合わせである。
【０１２５】
好ましくは、前記処理モジュール２１０は、受信した前記ネットワーク側装置のアップリンクＳＰＳ情報の前後順位に従って、ＳＰＳそれぞれのＳＰＳ設定インデックスを決定し、または、受信した前記ネットワーク側装置のアップリンクＳＰＳ情報に含まれるＳＰＳ設定インデックスに基づき、ＳＰＳそれぞれのＳＰＳ設定インデックスを決定する。
【０１２６】
好ましくは、前記処理モジュール２１０は、前記ネットワーク側装置からアップリンクＳＰＳ情報を受信した後、前記アップリンクＳＰＳ情報にデフォルトパラメータが含まれば、前記ＳＰＳ設定の補助情報内の、前記デフォルトパラメータと同様なタイプであるパラメータを利用する。
【０１２７】
図３に示すように、本発明実施例第１種のネットワーク側装置は、端末からＳＰＳ設定の補助情報を受信する受信モジュール３００と、受信した前記ＳＰＳ設定の補助情報に基づき、前記端末のためにアップリンクＳＰＳ情報を設定する設定モジュール３１０とを備える。
【０１２８】
好ましくは、前記ＳＰＳ設定の補助情報は、下記情報のうちの一部または全部を含む。
【０１２９】
＊前記端末が望ましいアップリンクＳＰＳリソースの時間領域における開始位置
＊前記端末が望ましいアップリンクＳＰＳリソースの設定周期
＊データパッケージサイズの指示情報
＊サービスタイプの指示情報
好ましくは、前記設定モジュール３１０は、受信した前記ＳＰＳ設定の補助情報に基づき、前記端末が望ましいアップリンクＳＰＳ情報を決定し、前記端末が望ましいアップリンクＳＰＳ情報に基づき、前記端末のためにアップリンクＳＰＳ情報を設定する。
【０１３０】
好ましくは、前記設定モジュール３１０は、前記端末に対応するアップリンクＳＰＳ情報内の、前記端末が望ましいアップリンクＳＰＳ情報に含まれるパラメータと同様なパラメータを、デフォルトパラメータと設定し、前記端末のために設定された後のアップリンクＳＰＳ情報を設定する。
【０１３１】
好ましくは、前記設定モジュール３１０は、ＳＰＳのＳＰＳ設定インデックスを、前記ＳＰＳに対応するアップリンクＳＰＳ情報に含ませる。
【０１３２】
図４に示すように、本発明の実施例に係る第２種の端末は、メモリ４０４格納されたプログラムを読み出すプロセッサ４０１と、プロセッサ４０１の制御によりデータを送受信する送受信機４０２とを備える。
【０１３３】
前記プロセッサ４０１は、ＳＰＳ設定の補助情報を決定し、送受信機により４０２前記ＳＰＳ設定の補助情報をネットワーク側装置に送信することにより、前記ネットワーク側装置に、受信した前記ＳＰＳ設定の補助情報に基づき、前記端末のためにアップリンクＳＰＳ情報を設定させる。
【０１３４】
好ましくは、前記プロセッサ４０１は、下記情報のうちの一部または全部を、ＳＰＳ設定の補助情報とする。
【０１３５】
＊望ましいアップリンクＳＰＳリソースの時間領域における開始位置
＊望ましいアップリンクＳＰＳリソースの設定周期
＊データパッケージサイズの指示情報
＊サービスタイプの指示情報
好ましくは、前記ＳＰＳ設定の補助情報はＳＰＳ活性化指示情報であり、前記プロセッサ４０１は、下記トリガー条件を満足した後、ＳＰＳ設定の補助情報を決定する。
【０１３６】
アップリンクＳＰＳリソースを利用する必要があるサービスが到達すると判断する。
【０１３７】
または、前記ＳＰＳ設定の補助情報はＳＰＳ設定アップデート指示情報であり、前記プロセッサ４０１は、下記トリガー条件を満足した後、ＳＰＳ設定の補助情報を決定する。
【０１３８】
目下のＳＰＳ設定の場合、Ｎ個のデータパッケージの待ち遅延が所定の遅延閾値を超えると判断し、前記Ｎは正の整数であり、または、目下のサービスモデルに変化が生じると判断する。
【０１３９】
好ましくは、前記プロセッサ４０１は、制御送受信機４０２ＲＲＣシグナリング、ＭＡＣシグナリング及び物理層シグナリングのうちの１により、前記ＳＰＳ設定の補助情報をネットワーク側装置に送信する。
【０１４０】
好ましくは、前記プロセッサ４０１は、目下利用しているＳＰＳのサービスが終了または中断したと判断した後、制御送受信機４０２前記ネットワーク側装置にＳＰＳリリース指示情報を送信する。
【０１４１】
好ましくは、前記プロセッサ４０１は、前記端末が目下ＳＰＳリソース設定が複数を有する場合、前記端末は、リリースするＳＰＳの識別子を前記ＳＰＳリリース指示情報に含ませる。
【０１４２】
好ましくは、前記ＳＰＳの識別子は、ＳＰＳ Ｃ−ＲＮＴＩ、ＳＰＳ周期及びＳＰＳ設定インデックスのうちの１つまたはそれらの組み合わせである。
【０１４３】
好ましくは、前記プロセッサ４０１は、受信した前記ネットワーク側装置のアップリンクＳＰＳ情報の前後順位に従って、ＳＰＳそれぞれのＳＰＳ設定インデックスを決定し、または、受信した前記ネットワーク側装置のアップリンクＳＰＳ情報に含まれるＳＰＳ設定インデックスに基づき、ＳＰＳそれぞれのＳＰＳ設定インデックスを決定する。
【０１４４】
好ましくは、前記プロセッサ４０１は、前記ネットワーク側装置からアップリンクＳＰＳ情報を受信した後、前記アップリンクＳＰＳ情報にデフォルトパラメータが含まれば、前記ＳＰＳ設定の補助情報内の、前記デフォルトパラメータと同様なタイプであるパラメータを利用する。
【０１４５】
図４において、バスアーキテクチャは、（バスインターフェイス４００で示す），バスインターフェイス４００、いずれ数の相互接続するバス及びブリッジを備える。具体的に、プロセッサ４００は、汎用プロセッサ４０１が代表となる１つまたは複数のプロセッサ及びメモリ４０４が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェイス４０３は、バスインターフェイス４００と送受信機４０２の間でインターフェースを提供する。送受信機４０２は、複数の部品であることができ、即ち、送信機及び受信機を備え、伝送媒体を介して他の装置と通信するユニットを提供する。例えば、送受信機４０２他の装から外部データを受信する。送受信機４０２は、プロセッサ４０１により処理後のデータをたの装置送信する。コンピュータシステムにより、キーパッド、ディスプレー、スピーカー、マイクロホン、ジョイスティックのようなユーザーインターフェース４０５を提供することもできる。
【０１４６】
プロセッサ４０１は、バスインターフェイス４００及び通常の処理を監視し、例えば、前記運営汎用操作システム。メモリ４０４は、プロセッサ４０１が動作する際に利用するデータを記憶することができる。
【０１４７】
好ましくは、プロセッサ４０１は、ＣＰＵ、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ−Ｐｒｏｇｒａｍｍａｂｌｅ Ｇａｔｅ Ａｒｒａｙ）、または、ＣＰＬＤ（Ｃｏｍｐｌｅｘ Ｐｒｏｇｒａｍｍａｂｌｅ Ｌｏｇｉｃ Ｄｅｖｉｃｅ）であることができる。
【０１４８】
図５に示すように、本発明実施例第２種のネットワーク側装置は、メモリ５０４に格納されたプログラムを読み出すプロセッサ５０１と、プロセッサ５０１の制御によりデータを送受信する送受信機５０２とを備える。
【０１４９】
前記プロセッサ５０１は、送受信機により５０２端末からＳＰＳ設定の補助情報を受信し、受信した前記ＳＰＳ設定の補助情報に基づき、前記端末のためにアップリンクＳＰＳ情報を設定する。
【０１５０】
好ましくは、前記ＳＰＳ設定の補助情報は、下記情報のうちの一部または全部を含む。
【０１５１】
＊前記端末が望ましいアップリンクＳＰＳリソースの時間領域における開始位置
＊前記端末が望ましいアップリンクＳＰＳリソースの設定周期
＊データパッケージサイズの指示情報
＊サービスタイプの指示情報
好ましくは、前記プロセッサ５０１は、受信した前記ＳＰＳ設定の補助情報に基づき、前記端末が望ましいアップリンクＳＰＳ情報を決定し、前記端末が望ましいアップリンクＳＰＳ情報に基づき、前記端末のためにアップリンクＳＰＳ情報を設定する。
【０１５２】
好ましくは、前記プロセッサ５０１は、前記端末に対応するアップリンクＳＰＳ情報内の、前記端末が望ましいアップリンクＳＰＳ情報に含まれるパラメータと同様なパラメータを、デフォルトパラメータと設定し、前記端末のために設定された後のアップリンクＳＰＳ情報を設定する。
【０１５３】
好ましくは、前記プロセッサ５０１は、ＳＰＳのＳＰＳ設定インデックスを、前記ＳＰＳに対応するアップリンクＳＰＳ情報に含ませる。
【０１５４】
図５において、バスアーキテクチャは、（用バスインターフェイス５００来代表），バスインターフェイス５００、いずれ数の相互接続するバス及びブリッジを備える。具体的に、プロセッサ５００は、プロセッサ５０１が代表となる１つまたは複数のプロセッサ及びメモリ５０４が代表となる多様な回路により接続される。バスインターフェイス５００は、外部設備、電圧レギュレーター及び電力管理回路等の他の回路を接続することもできる。これらは、当該分野の周知技術であるため、本発明において、詳細に説明しない。バスインターフェイス５０３は、バスインターフェイス５００と送受信機５０２の間でインターフェースを提供する。送受信機５０２は、複数の部品であることができ、即ち、送信機及び受信機を備え、伝送媒体を介して他の装置と通信するユニットを提供する。プロセッサ５０１により処理されたデータは、アンテナ５０５を介して無線媒体において伝送される。また、アンテナ５０５は、データを受信し、かつ、データをプロセッサ５０１に伝送する。
【０１５５】
プロセッサ５０１は、バスインターフェイス５００及び通常の処理を実行し、さらに、タイミング、周辺インターフェース、電圧調整、電源管理、および他の制御機能を含む様々な機能を提供することができる。また、メモリ５０４は、プロセッサ５０１が動作する際に利用するデータを記憶することができる。
【０１５６】
好ましくは、プロセッサ５０１は、CPU、ASIC、FPGAまたは、CPLDであることができる。
【０１５７】
同様な発明思想に基づき、本発明にかかる実施例は、アップリンク半永続スケジューリングを設定する方法を提供する。当該方法、装置の課題解決原理が本発明実施例アップリンク半永続スケジューリングを設定するシステムと類似するため、当該方法の実施はシステムの実施を参照すればよく、繰り返して説明しない。
【０１５８】
図６に示すように、本発明実施例第１種のアップリンク半永続スケジューリングを設定する方法は、下記のステップを備える。
【０１５９】
ステップ６００において、端末は、ＳＰＳ設定の補助情報を決定する。
【０１６０】
ステップ６０１において、前記ネットワーク側装置が受信したＳＰＳ設定の補助情報に基づいて、前記端末のためにアップリンクＳＰＳ情報を設定するように、前記端末は、前記ＳＰＳ設定の補助情報をネットワーク側装置の送信する。
【０１６１】
好ましくは、前記端末がＳＰＳ設定の補助情報を決定することは、具体的に、前記端末は、下記情報のうちの一部または全部をＳＰＳ設定の補助情報とする。
【０１６２】
＊前記端末が望ましいアップリンクＳＰＳリソースの時間領域における開始位置
＊前記端末が望ましいアップリンクＳＰＳリソースの設定周期
＊データパッケージサイズの指示情報
＊サービスタイプの指示情報
好ましくは、前記ＳＰＳ設定の補助情報はＳＰＳ活性化指示情報であり、前記端末は、下記のトリガー条件を満足した後、ＳＰＳ設定の補助情報を決定する。
【０１６３】
前記端末は、アップリンクＳＰＳリソースを利用する必要があるサービスが到達すると判断する。
【０１６４】
または、前記ＳＰＳ設定の補助情報はＳＰＳ設定アップデート指示情報であり、前記端末は、下記のトリガー条件を満足した後、ＳＰＳ設定の補助情報を決定する。
【０１６５】
前記端末は、目下のＳＰＳ設定により、Ｎ個のデータパッケージの待ち遅延が所定の遅延閾値を超えたと判断し、前記Ｎは正の整数であり、または、前記端末は、目下のサービスモデルに変化が生じたと判断する。
【０１６６】
好ましくは、前記端末が前記ＳＰＳ設定の補助情報をネットワーク側装置の送信することは、具体的に、前記端末は、無線リソース制御ＲＲＣシグナリングと、メディアアクセス制御（ＭＡＣ）シグナリングと、物理層シグナリングとのうちの１つにより、前記ＳＰＳ設定の補助情報をネットワーク側装置に送信する。
【０１６７】
好ましくは、前記方法において、前記端末が目下ＳＰＳを利用しているサービスが終了または中断したと判断した後、前記ネットワーク側装置にＳＰＳリリース指示情報を送信する。
【０１６８】
好ましくは、前記端末が目下ＳＰＳを利用しているサービスが終了または中断したと判断した後、前記ネットワーク側装置にＳＰＳリリース指示情報を送信する前、前記端末が目下ＳＰＳリソース設定が複数を有する場合、前記端末は、リリースするＳＰＳの識別子を前記ＳＰＳリリース指示情報に含ませる。
【０１６９】
好ましくは、前記ＳＰＳの識別子は、ＳＰＳ Ｃ−ＲＮＴＩ、ＳＰＳ周期及びＳＰＳ設定インデックスのうちの１つまたはそれらの組み合わせである。
【０１７０】
好ましくは、前記端末が前記ＳＰＳ設定の補助情報をネットワーク側装置に送信した後、前記端末は、受信した前記ネットワーク側装置のアップリンクＳＰＳ情報の前後順位に従って、ＳＰＳそれぞれのＳＰＳ設定インデックスを決定する。
【０１７１】
または、前記端末は、受信した前記ネットワーク側装置のアップリンクＳＰＳ情報に含まれるＳＰＳ設定インデックスに基づき、ＳＰＳそれぞれのＳＰＳ設定インデックスを決定する。
【０１７２】
好ましくは、前記端末が前記ＳＰＳ設定の補助情報をネットワーク側装置に送信した後、前記端末は、前記ネットワーク側装置からアップリンクＳＰＳ情報を受信した後、前記アップリンクＳＰＳ情報にデフォルトパラメータが含まれば、前記ＳＰＳ設定の補助情報内の、前記デフォルトパラメータと同様なタイプであるパラメータを利用する。
【０１７３】
図７に示すように、本発明実施例第２種のアップリンク半永続スケジューリングを設定する方法は、下記のステップを備える。
【０１７４】
ステップ７００において、ネットワーク側装置は、端末からＳＰＳ設定の補助情報を受信する。
【０１７５】
ステップ７０１において、前記ネットワーク側装置は、受信した前記ＳＰＳ設定の補助情報に基づき、前記端末のためにアップリンクＳＰＳ情報を設定する。
【０１７６】
好ましくは、前記ＳＰＳ設定の補助情報は、下記情報のうちの一部または全部を含む。
【０１７７】
＊前記端末が望ましいアップリンクＳＰＳリソースの時間領域における開始位置
＊前記端末が望ましいアップリンクＳＰＳリソースの設定周期
＊データパッケージサイズの指示情報
＊サービスタイプの指示情報
好ましくは、前記ネットワーク側装置が、受信した前記ＳＰＳ設定の補助情報に基づき、前記端末のためにアップリンクＳＰＳ情報を設定することは、具体的に、前記ネットワーク側装置は、受信した前記ＳＰＳ設定の補助情報に基づき、前記端末が望ましいアップリンクＳＰＳ情報を決定する。
【０１７８】
前記ネットワーク側装置は、前記端末が望ましいアップリンクＳＰＳ情報に基づき、前記端末のためにアップリンクＳＰＳ情報を設定する。
【０１７９】
好ましくは、前記ネットワーク側装置が、前記端末が望ましいアップリンクＳＰＳ情報に基づき、前記端末のためにアップリンクＳＰＳ情報を設定することは、具体的に、前記ネットワーク側装置は、前記端末に対応するアップリンクＳＰＳ情報内の、前記端末が望ましいアップリンクＳＰＳ情報に含まれるパラメータと同様なパラメータを、デフォルトパラメータとして設定する。
【０１８０】
前記ネットワーク側装置は、前記端末のために、設定された後のアップリンクＳＰＳ情報を設定する。
【０１８１】
好ましくは、 前記ネットワーク側装置が、前記端末が望ましいアップリンクＳＰＳ情報に基づき、前記端末のためにアップリンクＳＰＳ情報を設定することは、具体的に、前記ネットワーク側装置は、ＳＰＳのＳＰＳ設定インデックスを、前記ＳＰＳに対応するアップリンクＳＰＳ情報に含ませる。以下例を挙げて、本発明の技術案を詳しく説明する。
【０１８２】
図８に示すように、本発明実施例ネットワーク側装置が端末により報告されたＳＰＳ設定の補助情報に基づき、ＳＰＳ設定を活性化する方法は、以下とおりである。
【０１８３】
１、端末は、ＳＰＳ設定の補助情報の報告トリガー条件を満たすか否かを判断する。
【０１８４】
ＳＰＳ活性化の場合、ＳＰＳ設定の補助情報報告をトリガーする条件は、ＵＥ（端末）がアップリンクに、ＳＰＳ特性と合致するサービスが到達すると判断する。ＵＥがアップリンクにＳＰＳ特性と合致するサービスが到達すると判断することは、サービス層により直接に判断されてもよく、層間のインタラクションにより低位層に指示するか、または、サービス層により間近に発送するデータパッケージのサービス特徴（周期及び/またはデータパッケージサイズ）またはサービスタイプを低位層に指示するか、または、低位層自ら判断することもできる。低位層は、ＲＲＣ層、ＭＡＣ層または物理層であることができる。
【０１８５】
２、端末は、ＳＰＳ設定の補助情報のコンテンツを決定する。
【０１８６】
端末は、サービス層の指示情報似基づき、ＳＰＳ設定の補助情報コンテンツを決定する。決定されたコンテンツは、以下の１つまたはこれらの組み合わせを含む。
【０１８７】
＊望ましいアップリンクＳＰＳリソースの時間領域における開始位置（複数の形式があり、例えばサブフレームインデックスまたは絶対時間指示情報等）
＊望ましいアップリンクＳＰＳリソースの設定周期（単一周期であってもよく、マルチ周期であってもよい）
＊データパッケージサイズの指示情報(データパッケージ典型的なビット数であるかまたは望ましいリソースブロックサイズ等情報である)
＊サービスタイプの指示情報
３、端末は、ＳＰＳ設定の補助情報を報告する。
【０１８８】
端末がネットワーク側装置にＳＰＳ設定の補助情報を報告するのに、ＲＲＣシグナリング、ＭＡＣシグナリングまたは物理層シグナリングを利用することができる。
【０１８９】
４、ネットワーク側装置は、端末に対応するアップリンクＳＰＳ設定を決定する。
【０１９０】
ネットワーク側装置は、端末から報告されたＳＰＳ設定の補助情報に基づき、端末のアップリンクＳＰＳ設定を決定する。ネットワーク側装置がアップリンクＳＰＳ設定を決定するプロセスは、ネットワーク側装置により実施され、具体的なアルゴリズムにかかわる。一部の実施方式を例にするが、本発明は、たのアルゴリズムを排除しない。
【０１９１】
＜例１＞端末がステップ２において報告するＳＰＳ設定補助情報に、サービスタイプの指示情報（例えばＣＡＭメッセージまたはＤＥＮＭメッセージまたはＢＳＭ（Ｂａｓｉｃ Ｓａｆｅｔｙ Ｍｅｓｓａｇｅ））のみが含まれる。ネットワーク側装置は、前記ＳＰＳ設定の補助情報を受信した後、下記の１つの操作またはそれらの組み合わせを執行する。
【０１９２】
サービスタイプに基づき、ＳＰＳリソースの周期及びデータパッケージサイズを決定する。
【０１９３】
データパッケージサイズに基づき、周波数領域リソースブロックサイズ及びＭＣＳ（Ｍｏｄｕｌａｔｉｏｎ ａｎｄ ｃｏｄｉｎｇ ｓｃｈｅｍｅ，ＭＣＳレベル等物理層パラメータを決定する。
【０１９４】
メッセージ受信時刻及び前記メッセージを搬送するシグナリング伝送プロセスに基づき、端末が望ましいＳＰＳサービスデータ到達のｐａｔｔｅｒｎを推測し、こうして、ＳＰＳリソース的時間領域における開始位置を決定する。
【０１９５】
前記ＳＰＳサービスのためにＳＰＳ Ｃ−ＲＮＴＩを割り当てる。
【０１９６】
＜例２＞端末がステップ２において報告するＳＰＳ設定の補助情報に、望ましいアップリンクＳＰＳリソースの時間領域における開始位置（ＳＦＮ（Ｓｙｓｔｅｍ Ｆｒａｍｅ Ｎｕｍｂｅｒ，システムのフレーム）ｉｎｄｅｘ及びｓｕｂｆｒａｍｅ（サブフレーム）ｉｎｄｅｘにより指示してもよく、絶対時間にしてもよい）と、周期及びデータパッケージサイズ指示（データパッケージのビット数）とが含まれる。
【０１９７】
ネットワーク側装置は、前記ＳＰＳ設定の補助情報を受信した後、以下操作の１つまたはそれらの組み合わせを執行する。
【０１９８】
望ましい周期に基づき、ＳＰＳ周期を決定する。
【０１９９】
データパッケージサイズに基づき、周波数領域リソースブロックサイズ及びＭＣＳレベル等物理層パラメータを決定する。
【０２００】
端末が望ましいアップリンクＳＰＳリソースの時間領域における開始位置に基づき、ＳＰＳリソースの時間領域における開始位置を決定する。
【０２０１】
前記ＳＰＳサービスのためにＳＰＳ Ｃ−ＲＮＴＩを割り当てる。
【０２０２】
＜例３＞端末がステップ２において報告するＳＰＳ設定の補助情報には、望ましいアップリンクＳＰＳリソースの時間領域における開始位置と、サービスタイプの指示情報とが含まれる。
【０２０３】
ネットワーク側装置は、前記ＳＰＳ設定の補助情報を受信した後、以下操作の１つまたはそれらの組み合わせを執行する。
【０２０４】
サービスタイプに基づき、ＳＰＳリソースの周期及びデータパッケージサイズを決定する。
【０２０５】
データパッケージサイズに基づき、周波数領域リソースブロックサイズ及びＭＣＳレベル等物理層パラメータを決定する。
【０２０６】
端末が望ましいアップリンクＳＰＳリソースの時間領域における開始位置に基づき、ＳＰＳリソースの時間領域における開始位置を決定する。
【０２０７】
前記ＳＰＳサービスのためにＳＰＳ Ｃ−ＲＮＴＩを割り当てる。
【０２０８】
５、ネットワーク側装置は、端末のために決定したアップリンクＳＰＳ設定を端末に通知する。
【０２０９】
ネットワーク側装置は、決定されたアップリンクＳＰＳ情報を端末に通知し、アップリンクＳＰＳ情報は、従来のＬＴＥシステムのアップリンクＳＰＳ情報を多重化することができるし、最適化してもよい。即ち、ネットワーク側装置のアップリンクＳＰＳ情報と端末により報告された望ましいアップリンクＳＰＳ情報に、同様な部分があれば、当該部分のコンテンツを、ネットワーク側装置が発送するアップリンクＳＰＳ情報にデフォルトすることができる。
【０２１０】
６、端末は、ネットワーク側装置からの設定に基づき、アップリンクＳＰＳ伝送を行う。
【０２１１】
端末は、ネットワーク側装置が設定したアップリンクＳＰＳ情報を受信した後、一部のパラメータがデフォルトされれば、デフォルトされたパラメータについて、端末は、端末が望ましいアップリンクＳＰＳ設定を報告する際に用いたパラメータを利用する。そして、端末は、ネットワーク側装置により設定されたＳＰＳリソースにおいてＳＰＳ伝送を行う。
【０２１２】
図９に示すように、本発明実施例ネットワーク側装置が端末により報告されたＳＰＳ設定の補助情報に基づきＳＰＳ設定をアップデートする方法は、以下、詳細に説明する。
【０２１３】
１、端末は、ＳＰＳ設定の補助情報の報告トリガー条件を満たすか否かを判断する。
【０２１４】
ＳＰＳ設定のアップデートの場合、ＳＰＳ設定の補助情報報告をトリガーする条件としては、ＵＥが目下のＳＰＳ設定において、Ｎ(Ｎ≧１、整数である)個のデータパッケージ待ち遅延が所定の遅延閾値を超え、または、サービスモデルに変化が生じる（例えば周期変化またはデータパッケージサイズの変化）。
【０２１５】
２、端末は、ＳＰＳ設定の補助情報のコンテンツを決定する。
【０２１６】
端末は、サービス層の指示情報に基づき、ＳＰＳ設定の補助情報コンテンツを決定する。決定されたコンテンツは、以下の１つまたはこれらの組み合わせを含む。
【０２１７】
＊望ましいアップリンクＳＰＳリソースの時間領域における開始位置（複数の形式があり、例えばサブフレームインデックスまたは絶対時間指示情報等）
＊望ましいアップリンクＳＰＳリソースの設定周期（単一周期であってもよく、マルチ周期であってもよい）
＊データパッケージサイズの指示情報(データパッケージ典型的なビット数であるかまたは望ましいリソースブロックサイズ等情報である)
＊サービスモデルまたはタイプの指示情報
３、端末は、ＳＰＳ設定の補助情報を報告する。
【０２１８】
端末がネットワーク側装置にＳＰＳ設定の補助情報を報告するのに、ＲＲＣシグナリング、ＭＡＣシグナリングまたは物理層シグナリングを利用することができる。
【０２１９】
４、ネットワーク側装置は、端末に対応するアップリンクＳＰＳ設定をアップデートする。
【０２２０】
ネットワーク側装置は、据端末から報告されたＳＰＳ設定の補助情報に基づき、端末のアップリンクＳＰＳ設定をアップデートし、ネットワーク側装置は、新しいアップリンクＳＰＳ設定を決定するプロセスは、ネットワーク側装置により実施され、具体的なアルゴリズムにかかわる。一部の実施方式を例にするが、本発明は、たのアルゴリズムを排除しない。
【０２２１】
＜例１＞端末がステップ２において報告したＳＰＳ設定の補助情報に、サービスモデルＢＳＭタイプの指示情報（例えばＣＡＭメッセージまたはＤＥＮＭメッセージまたはＢＳＭメッセージ）のみが含まれる。
【０２２２】
ネットワーク側装置は、前記ＳＰＳ設定の補助情報を受信した後、以下操作の１つまたはそれらの組み合わせを執行する。
【０２２３】
サービスタイプに基づき、ＳＰＳリソースの周期及びデータパッケージサイズを決定する。
【０２２４】
データパッケージサイズに基づき、周波数領域リソースブロックサイズ及びＭＣＳレベル等物理層パラメータを決定する。
【０２２５】
メッセージ受信時刻及び前記メッセージを搬送するシグナリング伝送プロセスに基づき、端末が望ましいＳＰＳサービスデータ到達のｐａｔｔｅｒｎを推測し、こうして、ＳＰＳリソース的時間領域における開始位置を決定する。
【０２２６】
前記ＳＰＳサービスのためにＳＰＳ Ｃ−ＲＮＴＩを割り当てる。
【０２２７】
＜例２＞端末がステップ２において報告したＳＰＳ設定の補助情報に、望ましいアップリンクＳＰＳリソースの時間領域における開始位置（ＳＦＮ ｉｎｄｅｘ及びｓｕｂｆｒａｍｅ ｉｎｄｅｘにより指示することができ、絶対時間にしてもよい）、周期及びデータパッケージサイズ指示（データパッケージのビット数）が含まれる。
【０２２８】
ネットワーク側装置は、前記ＳＰＳ設定の補助情報を受信した後、以下操作の１つまたはそれらの組み合わせを執行する。
【０２２９】
望ましい周期に基づき、ＳＰＳ周期を決定する。
【０２３０】
データパッケージサイズに基づき、周波数領域リソースブロックサイズ及びＭＣＳレベル等物理層パラメータを決定する。
【０２３１】
端末が望ましいアップリンクＳＰＳリソースの時間領域における開始位置に基づき、ＳＰＳリソースの時間領域における開始位置を決定する。
【０２３２】
前記ＳＰＳサービスのためにＳＰＳ Ｃ−ＲＮＴＩを割り当てる。
【０２３３】
＜例３＞端末がステップ２において報告するＳＰＳ設定の補助情報には、望ましいアップリンクＳＰＳリソースの時間領域における開始位置と、サービスタイプの指示情報とが含まれる。
【０２３４】
ネットワーク側装置は、前記ＳＰＳ設定の補助情報を受信した後、以下操作の１つまたはそれらの組み合わせを執行する。
【０２３５】
サービスタイプに基づき、ＳＰＳリソースの周期及びデータパッケージサイズを決定する。
【０２３６】
データパッケージサイズに基づき、周波数領域リソースブロックサイズ及びＭＣＳレベル等物理層パラメータを決定する。
【０２３７】
端末が望ましいアップリンクＳＰＳリソースの時間領域における開始位置に基づき、ＳＰＳリソースの時間領域における開始位置を決定する。
【０２３８】
前記ＳＰＳサービスのためにＳＰＳ Ｃ−ＲＮＴＩを割り当てる。
【０２３９】
５、ネットワーク側装置は、端末のために決定したアップデート後のアップリンクＳＰＳ設定を端末に通知する。
【０２４０】
ネットワーク側装置は、決定されたアップデート後のアップリンクＳＰＳ情報を、端末に通知し、アップリンクＳＰＳ情報は、従来のＬＴＥシステムのアップリンクＳＰＳ情報を多重化することができるし、最適化することもできる。即ち、ネットワーク側装置のアップリンクＳＰＳ情報と端末から報告された望ましいアップリンクＳＰＳ情報に同様な部分があれば、当該部分のコンテンツは、ネットワーク側装置が発送するアップリンクＳＰＳ情報において、デフォルトされることができる。
【０２４１】
６、端末は、ネットワーク側装置から通知されたアップデート後のＳＰＳ設定に基づき、アップリンクＳＰＳ伝送を行う。
【０２４２】
端末は、ネットワーク側装置からアップデート後のアップリンクＳＰＳ情報を受信した後、以前のＳＰＳ設定をリリースし、新しいＳＰＳ設定を利用してアップリンクＳＰＳ伝送を行う。アップデート後のアップリンクＳＰＳ情報内の一部のパラメータがデフォルトされれば、デフォルトされたパラメータに対し、端末は、端末が望ましいアップリンクＳＰＳ設定を報告する際に用いたパラメータを利用する。
【０２４３】
図１０に示すように、本発明実施例ネットワーク側装置は、端末により報告されたＳＰＳ設定の補助情報に基づき、ＳＰＳリリースを行う方法は、以下で説明する。
【０２４４】
１、端末は、ＳＰＳ設定の補助情報の報告トリガー条件を満たすか否かを判断する
ＳＰＳ設定のリリースの場合、ＳＰＳ設定の補助情報報告をトリガーする条件として、目下利用しているＳＰＳのサービス終了するか、または、中断する。。
【０２４５】
２、端末は、ＳＰＳ設定の補助情報のコンテンツを決定する。
【０２４６】
ＵＥが同時に複数のＳＰＳをサポートすれば、ＳＰＳリリース指示に、識別子リリースするＳＰＳを唯一に識別できる情報（例えば、リリースするアップリンクＳＰＳに対応するＳＰＳ Ｃ−ＲＮＴＩ、ＳＰＳ周期及びＳＰＳ設定インデックスのうちの一部または全部）が含まれる必要がある。
【０２４７】
ＵＥが１つのみのＰＳをサポートすれば、従来のＳＰＳリリースメカニズムを多重化することができる。
【０２４８】
３、端末は、ＳＰＳ設定の補助情報を報告する。
【０２４９】
端末がネットワーク側装置にＳＰＳ設定の補助情報を報告するのに、ＲＲＣシグナリング、ＭＡＣシグナリングまたは物理層シグナリングを利用することができる。
【０２５０】
４、ネットワーク側装置は、端末に対応するアップリンクＳＰＳ設定をリリースする。
【０２５１】
ネットワーク側装置は、据端末から報告されたＳＰＳ設定の補助情報に基づき、当該端末及び当該ＳＰＳ補助情報に対応するアップリンクＳＰＳ設定をリリースする。端末に複数のＳＰＳ設定があれば、ＳＰＳ設定に影響を与えない。
【０２５２】
５、ネットワーク側装置は、ＳＰＳ設定をリリースするように端末に通知する（選択可能なステップである）。
【０２５３】
上述したように、本発明実施例端末は、前記ＳＰＳ設定の補助情報をネットワーク側装置の送信することにより、前記ネットワーク側装置は、受信した前記ＳＰＳ設定の補助情報に基づき、前記端末のためにアップリンクＳＰＳ情報を設定する。端末が前記ＳＰＳ設定の補助情報をネットワーク側装置に送信するため、ネットワーク側装置が、アップリンクＳＰＳを設定する場合ＳＰＳ設定の補助情報を参考することができ、こうして、アップリンクＳＰＳとサービスデータパッケージの到達時間がマッチしない確率を低減し、サービスデータパッケージが到達した後の待ち時間が短縮され、サービス遅延が低減される。
【０２５４】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０２５５】
また、本発明は、ハードウェアおよび/またはソフトウェア（ファームウェア、常駐ソフトウェア、マイクロコードなどを含む）により本発明を実施することができる。さらに、本発明は、コンピュータ使用可能または可読記憶媒体上のコンピュータプログラム製品の形態で実施することができ、コンピュータプログラム製品は、命令によって使用されるかまたはそれと関連して媒体に組み込まれたコンピュータ使用可能または可読プログラムコードを含む。本発明の文脈中で、コンピュータ使用可能或いはコンピュータ読取可能な媒体は、任意の媒体であってよく、（任意の媒体は、）命令実行システム、装置或いは設備によって使用され、或いは指令実行システム、装置或いは設備を結合して使用される、メモリ、通信、伝送、或いは伝送プログラムを含む。
【０２５６】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０２５７】
本出願は、２０１６年３月４日に中国特許局に提出し、出願番号が２０１６１０１２５５８１.０であり、発明名称が「アップリンク半永続スケジューリングを設定する方法、端末及びネットワーク側装置」との中国特許出願を基礎とする優先権を主張し、その開示の総てをここに取り込む。
【図１】
2019512928.tif 000003
【図２】
2019512928.tif 000004
【図３】
2019512928.tif 000005
【図４】
2019512928.tif 000006
【図５】
2019512928.tif 000007
【図６】
2019512928.tif 000008
【図７】
2019512928.tif 000009
【図８】
2019512928.tif 000010
【図９】
2019512928.tif 000011
【図１０】
2019512928.tif 000012
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
端末は、ＳＰＳ設定の補助情報を決定ステップと、
前記端末は、前記ＳＰＳ設定の補助情報をネットワーク側装置の送信するステップとを備えることを特徴とするアップリンク半永続スケジューリング（ＳＰＳ）を設定する方法。
【請求項２】
前記端末は、ＳＰＳ設定の補助情報を決定するのは、
前記端末は、前記端末が望ましいアップリンクＳＰＳリソースの時間領域における開始位置と、
前記端末が望ましいアップリンクＳＰＳリソースの設定周期と、
データパッケージサイズの指示情報と、
サービスタイプの指示情報とのうちの一部または全部をＳＰＳ設定の補助情報とすることを特徴とする請求項１に記載のアップリンク半永続スケジューリング（ＳＰＳ）を設定する方法。
【請求項３】
前記ＳＰＳ設定の補助情報はＳＰＳ活性化指示情報であり、前記端末は、下記のトリガー条件を満足した後、ＳＰＳ設定の補助情報を決定し、
前記端末は、アップリンクＳＰＳリソースを利用する必要があるサービスが到達すると判断し、
または、
前記ＳＰＳ設定の補助情報はＳＰＳ設定アップデート指示情報であり、前記端末は、下記のトリガー条件を満足した後、ＳＰＳ設定の補助情報を決定し、
前記端末は、目下のＳＰＳ設定により、Ｎ個のデータパッケージの待ち遅延が所定の遅延閾値を超えたと判断し、前記Ｎは正の整数であり、または、前記端末は、目下のサービスモデルに変化が生じたと判断することを特徴とする請求項１に記載のアップリンク半永続スケジューリング（ＳＰＳ）を設定する方法。
【請求項４】
前記端末が前記ＳＰＳ設定の補助情報をネットワーク側装置の送信するのは、
前記端末は、無線リソース制御ＲＲＣシグナリングと、メディアアクセス制御（ＭＡＣ）シグナリングと、物理層シグナリングとのうちの１つにより、前記ＳＰＳ設定の補助情報をネットワーク側装置に送信することを特徴とする請求項１に記載のアップリンク半永続スケジューリング（ＳＰＳ）を設定する方法。
【請求項５】
前記端末は、目下ＳＰＳを利用しているサービスが終了または中断したと判断した後、前記ネットワーク側装置にＳＰＳリリース指示情報を送信し、
及び/または、
前記端末が目下ＳＰＳを利用しているサービスが終了または中断したと判断した後、前記ネットワーク側装置にＳＰＳリリース指示情報を送信する前、
前記端末が目下ＳＰＳリソース設定が複数を有する場合、前記端末は、リリースするＳＰＳの識別子を前記ＳＰＳリリース指示情報に含ませ、
前記ＳＰＳの識別子は、ＳＰＳセル無線ネットワーク一時的な識別子Ｃ−ＲＮＴＩ、ＳＰＳ周期及びＳＰＳ設定インデックスのうちの１つまたはこれらの組み合わせであることを特徴とする請求項１から４までのいずれか１項に記載のアップリンク半永続スケジューリング（ＳＰＳ）を設定する方法。
【請求項６】
前記端末が前記ＳＰＳ設定の補助情報をネットワーク側装置に送信した後、
前記端末は、受信した前記ネットワーク側装置のアップリンクＳＰＳ情報の前後順位に従って、ＳＰＳそれぞれのＳＰＳ設定インデックスを決定し、または、
前記端末は、受信した前記ネットワーク側装置のアップリンクＳＰＳ情報に含まれるＳＰＳ設定インデックスに基づき、ＳＰＳそれぞれのＳＰＳ設定インデックスを決定し、
及び/または、
前記端末が前記ＳＰＳ設定の補助情報をネットワーク側装置に送信した後、
前記端末は、前記ネットワーク側装置からアップリンクＳＰＳ情報を受信した後、前記アップリンクＳＰＳ情報にデフォルトパラメータが含まれば、前記ＳＰＳ設定の補助情報内の、前記デフォルトパラメータと同様なタイプであるパラメータを利用することを特徴とする請求項１から４までのいずれか１項に記載のアップリンク半永続スケジューリング（ＳＰＳ）を設定する方法。
【請求項７】
ネットワーク側装置は、端末からＳＰＳ設定の補助情報を受信するステップと、
前記ネットワーク側装置は、受信した前記ＳＰＳ設定の補助情報に基づき、前記端末のためにアップリンクＳＰＳ情報を設定するステップとを備えることを特徴とするアップリンク半永続スケジューリング（ＳＰＳ）を設定する方法。
【請求項８】
前記ＳＰＳ設定の補助情報は、
前記端末が望ましいアップリンクＳＰＳリソースの時間領域における開始位置と、
前記端末が望ましいアップリンクＳＰＳリソースの設定周期と、
データパッケージサイズの指示情報と、
サービスタイプの指示情報とのうちの一部または全部を含むことを特徴とする請求項７に記載のアップリンク半永続スケジューリング（ＳＰＳ）を設定する方法。
【請求項９】
前記ネットワーク側装置が、受信した前記ＳＰＳ設定の補助情報に基づき、前記端末のためにアップリンクＳＰＳ情報を設定するのは、
前記ネットワーク側装置は、受信した前記ＳＰＳ設定の補助情報に基づき、前記端末が望ましいアップリンクＳＰＳ情報を決定し、
前記ネットワーク側装置は、前記端末が望ましいアップリンクＳＰＳ情報に基づき、前記端末のためにアップリンクＳＰＳ情報を設定し、及び/または、
前記ネットワーク側装置が、前記端末が望ましいアップリンクＳＰＳ情報に基づき、前記端末のためにアップリンクＳＰＳ情報を設定するのは、
前記ネットワーク側装置は、前記端末に対応するアップリンクＳＰＳ情報内の、前記端末が望ましいアップリンクＳＰＳ情報に含まれるパラメータと同様なパラメータを、デフォルトパラメータとして設定し、
前記ネットワーク側装置は、前記端末のために、設定された後のアップリンクＳＰＳ情報を設定し、及び/または、
前記ネットワーク側装置が、前記端末が望ましいアップリンクＳＰＳ情報に基づき、前記端末のためにアップリンクＳＰＳ情報を設定するのは、
前記ネットワーク側装置は、ＳＰＳのＳＰＳ設定インデックスを、前記ＳＰＳに対応するアップリンクＳＰＳ情報に含ませることを特徴とする請求項７に記載のアップリンク半永続スケジューリング（ＳＰＳ）を設定する方法。
【請求項１０】
ＳＰＳ設定の補助情報を決定する決定モジュールと、
前記決定モジュールにより決定された前記ＳＰＳ設定の補助情報をネットワーク側装置に送信する処理モジュールとを備えることを特徴とするアップリンク半永続スケジューリングＳＰＳを設定する端末。
【請求項１１】
前記決定モジュールは、
望ましいアップリンクＳＰＳリソースの時間領域における開始位置と、
望ましいアップリンクＳＰＳリソースの設定周期と、
データパッケージサイズの指示情報と、
サービスタイプの指示情報とのうちの一部または全部を、ＳＰＳ設定の補助情報とすることを特徴とする請求項１０に記載のアップリンク半永続スケジューリングＳＰＳを設定する端末。
【請求項１２】
前記ＳＰＳ設定の補助情報はＳＰＳ活性化指示情報であり、前記決定モジュールは、下記トリガー条件を満足した後、ＳＰＳ設定の補助情報を決定し、
アップリンクＳＰＳリソースを利用する必要があるサービスが到達すると判断し、
または、
前記ＳＰＳ設定の補助情報はＳＰＳ設定アップデート指示情報であり、前記決定モジュールは、下記トリガー条件を満足した後、ＳＰＳ設定の補助情報を決定し、
目下のＳＰＳ設定の場合、Ｎ個のデータパッケージの待ち遅延が所定の遅延閾値を超えると判断し、前記Ｎは正の整数であり、または、目下のサービスモデルに変化が生じると判断することを特徴とする請求項１０に記載のアップリンク半永続スケジューリングＳＰＳを設定する端末。
【請求項１３】
前記処理モジュールは、
無線リソース制御ＲＲＣシグナリング、メディアアクセス制御（ＭＡＣ）シグナリング及び物理層シグナリングのうちの１つにより、前記ＳＰＳ設定の補助情報をネットワーク側装置に送信することを特徴とする請求項１０に記載のアップリンク半永続スケジューリングＳＰＳを設定する端末。
【請求項１４】
前記処理モジュールは、
目下利用しているＳＰＳのサービスが終了または中断したと判断した後、前記ネットワーク側装置にＳＰＳリリース指示情報を送信し、及び/または、
前記処理モジュールは、
前記端末が目下ＳＰＳリソース設定が複数を有する場合、前記端末は、リリースするＳＰＳの識別子を前記ＳＰＳリリース指示情報に含ませ、
前記ＳＰＳの識別子は、
ＳＰＳ セル無線ネットワーク一時的な識別子Ｃ−ＲＮＴＩ、ＳＰＳ周期及びＳＰＳ設定インデックスのうちの１つまたはそれらの組み合わせであることを特徴とする請求項１０から１３までのいずれか１項に記載のアップリンク半永続スケジューリングＳＰＳを設定する端末。
【請求項１５】
前記処理モジュールは、
受信した前記ネットワーク側装置のアップリンクＳＰＳ情報の前後順位に従って、ＳＰＳそれぞれのＳＰＳ設定インデックスを決定し、または、受信した前記ネットワーク側装置のアップリンクＳＰＳ情報に含まれるＳＰＳ設定インデックスに基づき、ＳＰＳそれぞれのＳＰＳ設定インデックスを決定し、
及び/または、
前記処理モジュールは、
前記ネットワーク側装置からアップリンクＳＰＳ情報を受信した後、前記アップリンクＳＰＳ情報にデフォルトパラメータが含まれば、前記ＳＰＳ設定の補助情報内の、前記デフォルトパラメータと同様なタイプであるパラメータを利用することを特徴とする請求項１０から１３までのいずれか１項に記載のアップリンク半永続スケジューリングＳＰＳを設定する端末。
【国際調査報告】
2019512928.tif 000013
2019512928.tif 000014
2019512928.tif 000015
2019512928.tif 000016